(57)【特許請求の範囲】
【請求項１】
セル測定方法であって、
基地局によって送信された測定構成メッセージをユーザ装置(UE)によって受信するステップであって、前記測定構成メッセージが、被測定セルに対応する、少なくとも1つの物理セル識別情報およびチャネル状態情報-基準信号(CSI-RS)構成情報を含み、前記物理セル識別情報が前記被測定セルを示すために使用される、受信するステップと、
前記CSI-RS構成情報に従って、前記被測定セルに対応する前記CSI-RSを測定するステップと、測定する前記ステップの測定結果を取得するステップと、
前記被測定セルの前記取得された測定結果および前記被測定セルを示す測定対象情報を測定報告を介して前記基地局に送信するステップと、
を含み、
前記測定構成メッセージ内で同じ物理セル識別情報によって示された異なる被測定セルの前記CSI-RS構成情報が異なり、
前記測定構成メッセージが、前記被測定セルと一対一対応する構成識別情報をさらに含み、
前記測定構成メッセージ内に同じ物理セル識別情報が存在する場合、前記CSI-RS構成情報に従って、前記被測定セルに対応する前記CSI-RSを測定する前記ステップが、
前記被測定セルの前記CSI-RS構成情報および/または前記構成識別情報に従って、前記同じ物理セル識別情報によって示された前記異なる被測定セルを区別するステップを含み、
前記測定構成メッセージが、前記被測定セルに関する測定報告を周期的にもしくはイベントに基づいて実行するように前記ユーザ装置に命令するために使用される測定報告モード指示情報をさらに含み、
前記測定報告モード指示情報が、前記被測定セルに関する前記測定報告を周期的に実行するように前記ユーザ装置に命令する場合、前記測定結果は、チャネル状態情報-基準信号受信電力(CSI-RSRP)、および/またはチャネル状態情報-基準信号受信品質(CSI-RSRQ)を含む、
セル測定方法。
【請求項２】
前記構成識別情報が、前記被測定セルが属するアクセスポイントのアンテナポート情報、および前記被測定セルの前記CSI-RS構成情報の構成インデックス番号のうちの少なくとも1つを含み、前記アンテナポート情報がアンテナポート番号および/またはアンテナポートの数量を含む、
請求項1に記載の方法。
【請求項３】
前記測定対象情報が、前記被測定セルの前記CSI-RS構成情報、前記被測定セルが属するアクセスポイントのアンテナポート情報、および前記被測定セルのセル番号のうちの少なくとも1つを含み、前記アンテナポート情報がアンテナポート番号および/またはアンテナポートの数量を含む、
請求項1または2のいずれか一項に記載の方法。
【請求項４】
前記測定報告モード指示情報が、前記被測定セルに関する前記測定報告をイベントに基づいて実行するように前記ユーザ装置に命令するために使用される場合、測定する前記ステップの前記測定結果を取得する前記ステップが、
前記被測定セルの前記CSI-RSRPおよび/または前記CSI-RSRQを取得するステップと、
前記被測定セルの前記取得されたCSI-RSRPおよび/または前記取得されたCSI-RSRQに従って、前記CoMP測定セットに属する条件を満たすセルを算出するステップと
を含み、
前記被測定セルの前記取得された測定結果および前記被測定セルを示す前記測定対象情報を前記測定報告を介して前記基地局に送信する前記ステップが、
前記CoMP測定セットに属する前記条件を満たす前記被測定セルの前記取得された測定結果、および前記被測定セルを示す前記測定対象情報を前記測定報告を介して前記基地局に送信するステップ
を含む、請求項1に記載の方法。
【請求項５】
前記測定構成メッセージがCSI-RSRP測定指示情報および/またはCSI-RSRQ測定指示情報をさらに含み、前記CSI-RSRP測定指示情報が、前記被測定セルのCSI-RSRPを取得するように前記UEに命令するために使用され、前記CSI-RSRQ測定指示情報が、前記被測定セルのCSI-RSRQを取得するように前記UEに命令するために使用される
請求項1または2のいずれか一項に記載の方法。
【請求項６】
前記測定構成メッセージが無線リソース制御(RRC)シグナリングまたは媒体アクセス制御(MAC)シグナリングである
請求項1または2のいずれか一項に記載の方法。
【請求項７】
測定構成メッセージを基地局によってユーザ装置に送信するステップであって、前記測定構成メッセージが、被測定セルに対応する、少なくとも1つの物理セル識別情報およびチャネル状態情報-基準信号(CSI-RS)構成情報を含み、前記測定構成メッセージは、チャネル状態情報-基準信号受信電力(CSI-RSRP)測定指示情報、および/またはチャネル状態情報-基準信号受信品質(CSI-RSRQ)測定指示情報をさらに含み、前記CSI-RSRP測定指示情報は、前記被測定セルのCSI-RSRPを取得するように前記ユーザ装置（UE）に命令するために使用され、前記CSI-RSRQ測定指示情報は、前記被測定セルのCSI-RSRQを取得するように前記ユーザ装置（UE）に命令するために使用され、前記物理セル識別情報が前記被測定セルを示すために使用される、送信するステップと、前記測定構成メッセージに従って前記ユーザ装置によって取得された測定報告を受信するステップと、
前記測定報告に従って、前記ユーザ装置の協調マルチポイント送受信(CoMP)測定セットを更新するステップと、前記更新されたCoMP測定セットを前記ユーザ装置に送信するステップとを含むセル測定方法であって、
前記測定構成メッセージ内で同じ物理セル識別情報によって示された異なる被測定セルの前記CSI-RS構成情報が異なり、
前記測定構成メッセージが、前記被測定セルと一対一対応する構成識別情報をさらに含み、
測定構成メッセージ内に同じ物理セル識別情報が存在する場合、前記被測定セルの前記CSI-RS構成情報および/または前記構成識別情報は、前記UEによって、前記同じ物理セル識別情報によって示された前記異なる被測定セルを区別するために使用され、
前記測定構成メッセージが、前記被測定セルに関する測定報告を周期的にまたはイベントに基づいて実行するように前記ユーザ装置に命令するために使用される測定報告モード指示情報をさらに含み、
前記測定報告モード指示情報が、前記被測定セルに関する前記測定報告を周期的に実行するように前記ユーザ装置に命令する場合、測定結果が、CSI-RSRPおよび/もしくは、CSI-RSRQを含む、セル測定方法。
【請求項８】
前記構成識別情報が、前記被測定セルが属するアクセスポイントのアンテナポート情報、および前記被測定セルの前記CSI-RS構成情報の構成インデックス番号のうちの少なくとも1つを含み、前記アンテナポート情報がアンテナポート番号および/またはアンテナポートの数量を含む
請求項7に記載の方法。
【請求項９】
前記測定構成メッセージが無線リソース制御(RRC)シグナリングまたは媒体アクセス制御(MAC)シグナリングである
請求項7または8のいずれか一項に記載の方法。
【請求項１０】
前記UEから前記測定報告を受信する前記ステップの後で、前記方法が、
前記測定報告を使用して、モビリティマネジメントを実行するステップ
をさらに含む、請求項7または8のいずれか一項に記載の方法。
【請求項１１】
基地局によって、インターフェースを経由して前記基地局に接続された別の基地局に測定構成要求メッセージを送信して、前記別の基地局のカバレッジ内のセルの測定構成情報をフィードバックするように前記別の基地局に命令するためのステップであって、前記測定構成情報が、CSI-RS構成情報、アンテナポート情報、および前記セルの位置情報のうちの少なくとも1つを含み、前記アンテナポート情報がアンテナポート番号および/またはアンテナポートの数量を含む、送信するステップと、
前記別の基地局から前記測定構成情報を受信するステップと、ユーザ装置(UE)が前記CSI-RS構成情報に従って前記被測定セルに対応するCSI-RSを測定し、前記測定の測定結果を取得するのを可能にするために前記測定構成情報を前記ユーザ装置(UE)に送信するステップと、を含む、セルリソース共有方法であって、
前記測定構成情報内で同じ物理セル識別情報によって示された異なる被測定セルの前記CSI-RS構成情報が異なり、
前記測定構成情報が、前記被測定セルと一対一対応する構成識別情報をさらに含み、
測定構成メッセージ内に同じ物理セル識別情報が存在する場合、前記被測定セルの前記CSI-RS構成情報および/または前記構成識別情報は、前記UEによって、前記同じ物理セル識別情報によって示された前記異なる被測定セルを区別するために使用され、
前記測定構成情報が、前記被測定セルに関する測定報告を周期的にまたはイベントに基づいて実行するように前記ユーザ装置に命令するために使用される測定報告モード指示情報をさらに含み、
前記測定報告モード指示情報が、前記被測定セルに関する前記測定報告を周期的に実行するように前記ユーザ装置に命令する場合、前記測定結果が、チャネル状態情報-基準信号受信電力(CSI-RSRP)およびチャネル状態情報-基準信号受信品質(CSI-RSRQ)を含む、セルリソース共有方法。
【請求項１２】
前記方法が、
ローカルカバレッジ内のセルの前記測定構成情報を前記別の基地局に送信するステップ
をさらに含む、請求項11に記載の方法。
【請求項１３】
前記インターフェースを経由して前記基地局に接続された前記別の基地局に前記測定構成要求メッセージを送信する前記ステップが、
インターフェースX2またはインターフェースS1を介して、前記インターフェースを経由して前記基地局に接続された前記別の基地局に前記測定構成要求メッセージを送信するステップを含み、
前記別の基地局から前記測定構成情報を受信する前記ステップが、
前記インターフェースX2または前記インターフェースS1を介して、前記別の基地局から前記測定構成情報を受信するステップを含み、
前記ローカルカバレッジ内の前記セルの前記測定構成情報を前記別の基地局に送信する前記ステップが、
前記インターフェースX2または前記インターフェースS1を介して、前記ローカルカバレッジ内の前記セルの前記測定構成情報を前記別の基地局に送信するステップを含む
請求項12に記載の方法。
【請求項１４】
前記測定構成情報が、前記セルが属するアクセスポイントのラベル番号をさらに含む、請求項11から13のいずれか一項に記載の方法。
【請求項１５】
基地局によって送信された測定構成メッセージを受信し、前記測定構成メッセージが、被測定セルに対応する、少なくとも1つの物理セル識別情報およびチャネル状態情報-基準信号(CSI-RS)構成情報を含み、前記物理セル識別情報が前記被測定セルを示すために使用されるように構成された受信ユニットと、
前記受信ユニットによって受信された前記測定構成メッセージ内の前記CSI-RS構成情報に従って、前記被測定セルに対応する前記CSI-RSを測定し、前記測定の測定結果を取得するように構成された、測定および取得ユニットと、
前記測定および取得ユニットによって取得された、前記被測定セルの前記測定結果、および前記被測定セルを示す測定対象情報を測定報告を介して前記基地局に送信するように構成された送信ユニットと、
を備えるユーザ装置であって、
前記受信ユニットによって受信された前記測定構成メッセージ内で同じ物理セル識別情報によって示された異なる被測定セルの前記CSI-RS構成情報が異なり、
前記受信ユニットによって受信された前記測定構成メッセージが、前記被測定セルと一対一対応する構成識別情報をさらに含み、
前記ユーザ装置が、前記受信ユニットによって受信された前記測定構成メッセージ内に同じ物理セル識別情報が存在するとき、前記被測定セルの前記CSI-RS構成情報および/または前記構成識別情報に従って、前記同じ物理セル識別情報によって示された前記異なる被測定セルを区別するように構成されたセル区別ユニットをさらに備え、
前記受信ユニットによって受信された前記測定構成メッセージが、前記被測定セルに関する測定報告を周期的にまたはイベントに基づいて実行するように前記ユーザ装置に命令するために使用される測定報告モード指示情報をさらに含み、
前記測定および取得ユニットが、前記受信ユニットによって受信され、かつ前記被測定セルに関する前記測定報告を周期的に実行するように前記ユーザ装置に命令する前記測定報告モード指示情報に従って、チャネル状態情報-基準信号受信電力(CSI-RSRP)および/またはチャネル状態情報-基準信号受信品質(CSI-RSRQ)を含む測定結果を取得するように特に構成された、
ユーザ装置。
【請求項１６】
前記受信ユニットによって受信された前記測定構成メッセージ内にある前記構成識別情報が、前記被測定セルが属するアクセスポイントのアンテナポート情報、および前記被測定セルの前記CSI-RS構成情報の構成インデックス番号のうちの少なくとも1つを含み、前記アンテナポート情報がアンテナポート番号および/またはアンテナポートの数量を含む
請求項15に記載のユーザ装置。
【請求項１７】
前記送信ユニットによって前記基地局に送信された前記測定報告内にある測定対象情報が、前記被測定セルの前記CSI-RS構成情報、前記被測定セルが属するアクセスポイントのアンテナポート情報、および前記被測定セルのセル番号のうちの少なくとも1つを含み、前記アンテナポート情報がアンテナポート番号および/またはアンテナポートの数量を含む
請求項15または16のいずれか一項に記載のユーザ装置。
【請求項１８】
前記受信ユニットによって受信された前記測定構成メッセージが、CSI-RSRP測定指示情報および/またはCSI-RSRQ測定指示情報をさらに含み、前記CSI-RSRP測定指示情報が、前記被測定セルのCSI-RSRPを取得するように前記測定および取得ユニットに命令するために使用され、前記CSI-RSRQ測定指示情報が、前記被測定セルのCSI-RSRQを取得するように前記測定および取得ユニットに命令するために使用される
請求項15または16のいずれか一項に記載のユーザ装置。
【請求項１９】
測定構成メッセージをユーザ装置に送信し、前記測定構成メッセージが、被測定セルに対応する、少なくとも1つの物理セル識別情報およびチャネル状態情報-基準信号(CSI-RS)構成情報を含み、前記測定構成メッセージは、チャネル状態情報-基準信号受信電力(CSI-RSRP)測定指示情報、および/またはチャネル状態情報-基準信号受信品質(CSI-RSRQ)測定指示情報をさらに含み、前記CSI-RSRP測定指示情報は、前記被測定セルのCSI-RSRPを取得するように前記ユーザ装置（UE）に命令するために使用され、前記CSI-RSRQ測定指示情報は、前記被測定セルのCSI-RSRQを取得するように前記ユーザ装置（UE）に命令するために使用され、前記物理セル識別情報が前記被測定セルを示すために使用され、前記測定構成メッセージに従って前記ユーザ装置によって取得された測定報告を受信するように構成された送受信ユニットと、
前記送受信ユニットによって受信された前記測定報告に従って、前記ユーザ装置の協調マルチポイント送受信(CoMP)測定セットを更新するように構成された更新ユニットと
を備え、
前記送受信ユニットが、前記更新ユニットによって更新された前記CoMP測定セットを前記ユーザ装置に送信するようにさらに構成された
基地局であって、
前記送受信ユニットによって送信された前記測定構成メッセージ内で同じ物理セル識別情報によって示された異なる被測定セルの前記CSI-RS構成情報が異なり、
前記送受信ユニットによって送信された前記測定構成メッセージが、前記被測定セルと一対一対応する構成識別情報をさらに含み、
前記測定構成メッセージ内に同じ物理セル識別情報が存在する場合、前記被測定セルの前記CSI-RS構成情報および/または前記構成識別情報は、前記UEによって、前記同じ物理セル識別情報によって示された前記異なる被測定セルを区別するために使用され、
前記送受信ユニットによって送信された前記測定構成メッセージが、前記被測定セルに関する測定報告を周期的にまたはイベントに基づいて実行するように前記ユーザ装置に命令するために使用される測定報告モード指示情報をさらに含み、
前記測定報告モード指示情報が、前記被測定セルに関する前記測定報告を周期的に実行するように前記ユーザ装置に命令する場合、前記送受信ユニットによって受信された測定結果が、CSI-RSRPおよび/もしくは、CSI-RSRQを含む、
基地局。
【請求項２０】
前記送受信ユニットによって送信された前記測定構成メッセージ内の前記構成識別情報が、前記被測定セルが属するアクセスポイントのアンテナポート情報、および前記被測定セルの前記CSI-RS構成情報の構成インデックス番号のうちの少なくとも1つを含み、前記アンテナポート情報がアンテナポート番号および/またはアンテナポートの数量を含む
請求項19に記載の基地局。
【請求項２１】
前記送受信ユニットによって送信された前記測定構成メッセージが、無線リソース制御(RRC)シグナリングまたは媒体アクセス制御(MAC)シグナリングである
請求項19または20のいずれか一項に記載の基地局。
【請求項２２】
前記送受信ユニットによって受信された前記測定報告を使用して、モビリティマネジメントを実行するように構成された管理ユニット
をさらに備える、請求項19または20のいずれか一項に記載の基地局。
【請求項２３】
インターフェースを経由して基地局に接続された別の基地局に測定構成要求メッセージを送信して、前記別の基地局のカバレッジ内のセルの測定構成情報をフィードバックするように前記別の基地局に命令し、前記測定構成情報が、CSI-RS構成情報、アンテナポート情報、および前記セルの位置情報のうちの少なくとも1つを含み、前記アンテナポート情報がアンテナポート番号および/またはアンテナポートの数量を含み、前記別の基地局から前記測定構成情報を受信するように構成された送受信ユニットと、
ユーザ装置(UE)が前記CSI-RS構成情報に従って前記被測定セルに対応するCSI-RSを測定し、前記測定の測定結果を取得するのを可能にするために、前記送受信ユニットによって受信された、前記別の基地局の前記測定構成情報をユーザ装置(UE)に送信するように構成された送信ユニットを備える基地局であって、
前記測定構成情報内で同じ物理セル識別情報によって示された異なる被測定セルの前記CSI-RS構成情報が異なり、
前記送受信ユニットによって受信された前記測定構成情報が、前記被測定セルと一対一対応する構成識別情報をさらに含み、
測定構成メッセージ内に同じ物理セル識別情報が存在する場合、前記被測定セルの前記CSI-RS構成情報および/または前記構成識別情報は、前記UEによって、前記同じ物理セル識別情報によって示された前記異なる被測定セルを区別するために使用され、
前記送受信ユニットによって受信された前記測定構成情報が、前記被測定セルに関する測定報告を周期的にまたはイベントに基づいて実行するように前記ユーザ装置に命令するために使用される測定報告モード指示情報をさらに含み、
前記測定報告モード指示情報が、前記被測定セルに関する前記測定報告を周期的に実行するように前記ユーザ装置に命令する場合、前記測定結果が、チャネル状態情報-基準信号受信電力(CSI-RSRP)およびチャネル状態情報-基準信号受信品質(CSI-RSRQ)
を含む、基地局。
【請求項２４】
前記送受信ユニットが、ローカルカバレッジ内のセルの前記測定構成情報を前記別の基地局に送信するようにさらに構成された
請求項23に記載の基地局。
【請求項２５】
前記送受信ユニットが、インターフェースX2またはインターフェースS1を介して、前記別の基地局に前記測定構成要求メッセージを送信するように特に構成され、
前記送受信ユニットが、前記インターフェースX2または前記インターフェースS1を介して、前記ローカルカバレッジ内の前記セルの前記測定構成情報を前記別の基地局に送信するように特に構成され、
前記送受信ユニットが、前記インターフェースX2または前記インターフェースS1を介して、前記別の基地局から前記測定構成情報を受信するように特に構成された
請求項24に記載の基地局。
【発明の詳細な説明】
【技術分野】
【０００１】
本発明は、通信技術に関し、詳細には、セル測定方法、セルリソース共有方法、および関連デバイスに関する。
【０００２】
関連出願の相互参照
本出願は、参照によりその全体が本明細書に組み込まれている、「CELL MEASUREMENT METHOD, CELL RESOURCE SHARING METHOD, AND RELATED DEVICE」という表題の2011年7月12日に出願した中国特許出願第201110194605.5号の優先権を主張するものである。
【背景技術】
【０００３】
無線通信システムでは、協調マルチポイント送受信(CoMP、Coordinated Multi-Point transmission)技術は、セルの性能全体、およびセルエッジユーザの実行を改善するための重要な手法である。
【０００４】
CoMP技術は、マルチセルジョイント送信(multi-cell joint transmission)用に適応された多入力多出力(MIMO、Multiple-Input Multiple-Output)技術、プリコーディング技術、ネットワークコーディング技術、効率的なチャネル推定および結合検出技術など、複数の物理層送信技術をサポートする必要がある。同時に、無線リソース管理の先進的かつ効果的な方式は、同様に、例えば、セルリソースの分散戦略、ロードバランシング、ジョイントマルチポイント送信(joint multi-point transmission)における協調セルの選択機構、および効果的なハンドオーバ戦略など、CoMP技術の性能に影響を及ぼす重要な要因でもある。ハンドオーバ性能は、モバイル通信システムの性能を査定するための重要な指標であり、効果的なハンドオーバ戦略は、ユーザにとってユビキタスなネットワークを作るための鍵である。
【０００５】
現在のCoMPシステムでは、ユーザ装置(UE、User Equipment)は、ユーザ装置自体をユーザ装置のサービス提供セルの近接セルと同期することによって、それらの近接セルの物理セル識別情報(PCI、physical cell identity)を取得し、次いで、取得されたPCIを使用して、PCIに対応するセルのセル固有基準信号(CRS、Cell-specific reference signals)をそれぞれ測定し、次いで、その測定結果を無線リソース管理(RRM、Radio Resource Management)測定セットとして、UEと通信する基地局に報告する。基地局は、このUEのセルハンドオーバを決定するために、UEによって報告されたRRM測定セットを使用して、UEを取り囲むそれぞれのセルからUEによって受信された信号の信号強度および信号品質を評価する。上記の方式では、基地局は、PCIを経由して、RRM測定セット内の異なるセルに対応する異なる測定結果を区別する。現在のCoMPシステムでは、セルがCRSのリソース位置情報を送信するとき、他のセルは、リソース位置情報を送信することによってこのセルによって占有された時間周波数領域リソースを使用して、物理ダウンリンク制御チャネル(PDCCH、Physical Downlink Control Channel)および物理ダウンリンク共有チャネル(PDSCH、Physical Downlink Shared Channel)などのリソース情報を送信することができ、したがって、CRSのこのリソース位置情報は干渉され、したがって、CRSの測定結果は不正確である。
【発明の概要】
【発明が解決しようとする課題】
【０００６】
本発明の実施形態は、測定結果の精度を改善して、基地局が異なるセルに対応する異なる測定結果を区別するのを可能にするために使用されるセル測定方法、セルリソース共有方法、および関連デバイスを提供する。
【０００７】
上記の技術的な問題を解決するために、本発明の実施形態によって、以下の技術的解決策が提供される。
【課題を解決するための手段】
【０００８】
ある態様では、本発明は、
基地局によって送信された測定構成メッセージをユーザ装置(UE)によって受信するステップであって、測定構成メッセージが、被測定セルに対応する、少なくとも1つの物理セル識別情報およびチャネル状態情報-基準信号(CSI-RS)構成情報を含み、物理セル識別情報が被測定セルを示すために使用される、受信するステップと、
CSI-RS構成情報に従って、被測定セルに対応するCSI-RSを測定するステップと、測定するステップの測定結果を取得するステップと、
被測定セルについて取得された測定結果および被測定セルの測定対象情報を測定報告を介して基地局に送信するステップと
を含むセル測定方法を提供する。
【０００９】
別の態様では、本発明は、
測定構成メッセージを基地局によってユーザ装置に送信するステップであって、測定構成メッセージが、被測定セルに対応する、少なくとも1つの物理セル識別情報およびチャネル状態情報-基準信号(CSI-RS)構成情報を含み、物理セル識別情報が被測定セルを示すために使用される、送信するステップと、測定構成メッセージに従ってユーザ装置によって取得された測定報告を受信するステップと、
測定報告に従って、ユーザ装置の協調マルチポイント送受信(CoMP)測定セットを更新するステップと、更新されたCoMP測定セットをユーザ装置に送信するステップと
を含むセル測定方法を提供する。
【００１０】
別の態様では、本発明は、
基地局によって送信された測定構成メッセージをユーザ装置によって受信するステップであって、測定構成メッセージが、被測定セルの、少なくとも1つの物理セル識別情報および構成識別情報を含み、物理セル識別情報が被測定セルを示すために使用され、構成識別情報が被測定セルと一対一対応する、受信するステップと、
構成識別情報に対応する被測定セルのチャネル基準信号(CRS)を測定するステップと、測定するステップの測定結果を取得するステップと、
被測定セルについて取得された測定結果および被測定セルの構成識別情報を測定報告を介して基地局に送信するステップと
を含むセル測定方法を提供する。
【００１１】
別の態様では、本発明は、
測定構成メッセージを基地局によってユーザ装置に送信するステップであって、測定構成メッセージが、被測定セルの、少なくとも1つの物理セル識別情報および構成識別情報を含み、物理セル識別情報が被測定セルを示すために使用され、構成識別情報が被測定セルと一対一対応する、送信するステップと、
測定構成メッセージに従ってユーザ装置によって取得された測定報告を受信するステップと、
測定報告に従って、ユーザ装置の協調マルチポイント送受信(CoMP)測定セットを更新するステップと、更新されたCoMP測定セットをユーザ装置に送信するステップと
を含むセル測定方法を提供する。
【００１２】
別の態様では、本発明は、
基地局によって、インターフェースを経由してその基地局に接続された別の基地局に測定構成要求メッセージを送信して、別の基地局のカバレッジ内のセルの測定構成情報をフィードバックするように別の基地局に命令するステップであって、測定構成情報が、CSI-RS構成情報、アンテナポート情報、およびセルの位置情報のうちの少なくとも1つを含み、アンテナポート情報がアンテナポート番号および/またはアンテナポートの数量を含む、送信するステップと、
別の基地局から測定構成情報を受信するステップと、その測定構成情報をユーザ装置(UE)に送信するステップと
を含むセルリソース共有方法を提供する。
【００１３】
別の態様では、本発明は、
基地局によって送信された測定構成メッセージを受信し、測定構成メッセージが、被測定セルに対応する、少なくとも1つの物理セル識別情報およびチャネル状態情報-基準信号(CSI-RS)構成情報を含み、物理セル識別情報が被測定セルを示すために使用されるように構成された受信ユニットと、
受信ユニットによって受信された測定構成メッセージ内のCSI-RS構成情報に従って、被測定セルに対応するCSI-RSを測定し、測定の測定結果を取得するように構成された測定および取得ユニットと、
測定および取得ユニットによって取得された、被測定セルの測定結果および被測定セルを示す測定対象情報を測定報告を介して基地局に送信するように構成された送信ユニットと
を備えるユーザ装置を提供する。
【００１４】
別の態様では、本発明は、
測定構成メッセージをユーザ装置に送信し、測定構成メッセージが、被測定セルに対応する、少なくとも1つの物理セル識別情報およびチャネル状態情報-基準信号(CSI-RS)構成情報を含み、物理セル識別情報が被測定セルを示すために使用され、測定構成メッセージに従ってユーザ装置によって取得された測定報告を受信するように構成された送受信ユニットと、
送受信ユニットによって受信された測定報告に従って、ユーザ装置の協調マルチポイント送受信(CoMP)測定セットを更新するように構成された更新ユニットと
を備え、
送受信ユニットが、更新ユニットによって更新されたCoMP測定セットをユーザ装置に送信するようにさらに構成された
基地局を提供する。
【００１５】
別の態様では、本発明は、
基地局によって送信された測定構成メッセージを受信し、測定構成メッセージが、被測定セルの、少なくとも1つの物理セル識別情報および構成識別情報を含み、物理セル識別情報が被測定セルを示すために使用され、構成識別情報が被測定セルと一対一対応するように構成された受信ユニットと、
受信ユニットによって受信された構成識別情報に従って、構成識別情報に対応する被測定セルのチャネル基準信号(CRS)を測定し、測定の測定結果を取得するように構成された測定および取得ユニットと、
測定および取得ユニットによって取得された被測定セルについて取得された測定結果および受信ユニットによって受信された被測定セルの構成識別情報を測定報告を介して基地局に送信するように構成された送信ユニットと
を備えるユーザ装置を提供する。
【００１６】
別の態様では、本発明は、
測定構成メッセージをユーザ装置に送信し、測定構成メッセージが、被測定セルの、少なくとも1つの物理セル識別情報および構成識別情報を含み、物理セル識別情報が被測定セルを示すために使用され、構成識別情報が被測定セルと一対一対応し、測定構成メッセージに従ってユーザ装置によって取得された測定報告を受信するように構成された送受信ユニットと、
送受信ユニットによって受信された測定報告に従って、ユーザ装置の協調マルチポイント送受信(CoMP)測定セットを更新するように構成された更新ユニットと
を備え、
送受信ユニットが、更新ユニットによって更新されたCoMP測定セットをユーザ装置に送信するようにさらに構成された
基地局を提供する。
【００１７】
別の態様では、本発明は、
インターフェースを経由して基地局に接続された別の基地局に測定構成要求メッセージを送信して、別の基地局のカバレッジ内のセルの測定構成情報をフィードバックするように別の基地局に命令し、測定構成情報が、CSI-RS構成情報、アンテナポート情報、およびセルの位置情報のうちの少なくとも1つを含み、アンテナポート情報がアンテナポート番号および/またはアンテナポートの数量を含み、別の基地局から測定構成情報を受信するように構成された送受信ユニットと、
送受信ユニットによって受信された別の基地局の測定構成情報をユーザ装置(UE)に送信するように構成された送信ユニットと
を備える基地局を提供する。
【００１８】
分かるように、本発明の実施形態では、少なくとも1つの物理セル識別情報および物理セル識別情報によって示された被測定セルのCSI-RS構成情報を測定構成メッセージ内で搬送することによって、UEは、被測定セルのCSI-RSを測定して、測定結果を取得することができ、UEは、被測定セルの測定結果および被測定セルを示すために使用される測定対象情報を測定報告を介して基地局に送信することができる。一方で、UEは、測定構成メッセージ内で同じ物理セル識別情報によって示された被測定セルのCSI-RS構成情報および/または構成識別情報の差に従って、同じ物理セル識別情報によって示された異なる被測定セルのリソースを区別することができる。他方で、基地局は、UEのCoMP測定セットを効果的に更新するために、測定対象情報に従って、異なる被測定セルの測定結果を区別することができる。さらに、CoMPシステムでは、セルがCSI-RSリソース位置を送信しているとき、他のセルは、データを送信するために、CSI-RSリソース位置を送信するためにそのセルによって占有されている時間周波数領域リソースを使用しないことになり、その結果、データ同士の間の干渉を回避することができ、これにより、CSI-RSを測定することによって取得される測定結果はCRSを測定することによって取得される測定結果よりもより正確になる。
【００１９】
本発明の実施形態または先行技術の実施形態の技術的解決策をより明瞭に説明するために、本発明または先行技術の実施形態の説明で使用される添付の図面が以下で手短に説明される。明らかに、説明される図面は本発明のいくつかの実施形態にすぎず、当業者は、創造的な努力なしに、これらの添付の図面に基づいて、他の図面を取得することが依然として可能である。
【図面の簡単な説明】
【００２０】
【図１】本発明のある実施形態による、あるセル測定方法の概略流れ図である。
【図２】本発明の別の実施形態による、あるセル測定方法の概略流れ図である。
【図３】本発明のさらに別の実施形態による、あるセル測定方法の概略流れ図である。
【図４−ａ】本発明のある実施形態による、ある適用シナリオのネットワークアーキテクチャの概略図である。
【図４−ｂ】本発明のさらに別の実施形態による、あるセル測定方法の概略流れ図である。
【図５】本発明のさらに別の実施形態による、あるセル測定方法の概略流れ図である。
【図６】本発明のさらに別の実施形態による、あるセル測定方法の概略流れ図である。
【図７】本発明のさらに別の実施形態による、あるセル測定方法の概略流れ図である。
【図８】本発明のある実施形態による、あるセルリソース共有方法の概略流れ図である。
【図９】本発明のある実施形態による、あるユーザ装置の概略構造図である。
【図１０】本発明のある実施形態による、ある基地局の概略構造図である。
【発明を実施するための形態】
【００２１】
本発明の実施形態は、セル測定方法、セルリソース共有方法、および関連デバイスを提供する。
【００２２】
本発明の目的、技術的解決策、および利点をより明瞭にするために、本発明の実施形態の添付の図面を参照して、本発明の実施形態の技術的解決策が以下で明瞭かつ完全に説明される。明らかに、説明される実施形態は、本発明のすべての実施形態ではなく、本発明の実施形態の一部にすぎない。創造的な努力なしに、本発明の実施形態に基づいて、当業者によって取得されるすべてのその他の実施形態は、本発明の保護範囲に該当するものとする。
【００２３】
説明の主題としてUEをとりあげ、本発明のある実施形態によるセル測定方法が以下で説明される。図1を参照すると、本発明のある実施形態によるセル測定方法は、以下を含む。
【００２４】
ステップ101:基地局によって送信された測定構成メッセージを受信するステップ。
【００２５】
CoMPシステムでは、地理的に分離および分散した複数のAP(AP、Access Point)は、異なる協調方法(例えば、関連送受信、関連プロセス、および協調ディスパッチなど)により複数のUEにサービス提供する。基地局は、UEによって報告されたRRM測定セットの測定結果を受信することによって、UEのCoMP測定セットを更新し、次いで、更新されたCoMP測定セットをUEに対して発行する。UEは、基地局がCoMP測定セット内のセルをスケジュールすることができるように、受信されたCoMP測定セット内のセルのチャネル状態情報を基地局に報告する必要がある。基地局は測定構成メッセージをUEに送信して、測定構成メッセージに従って測定される必要があるセルを測定して、その測定結果をRRM測定セットの測定結果としてこの基地局に報告するようにUEに命令する。
【００２６】
本発明の実施形態では、測定構成メッセージは、少なくとも1つの物理セル識別情報と、それぞれの物理セル識別情報によって示された、それぞれの被測定セルのチャネル状態情報(CSI、Channel State Information)-基準信号(RS、Reference Signal)構成情報とを含み、オプションで、測定構成メッセージは、被測定セルと一対一対応する構成識別情報をさらに含み、さらにオプションで、測定インデックス番号を含む。構成識別情報は、被測定セルが属するAPのアンテナポート情報、および被測定セルのCSI-RS構成情報の構成インデックス番号のうちの少なくとも1つであってよい。アンテナポート情報はアンテナポート番号および/またはアンテナポートの量を含むが、これらに限定されない。当然、それぞれのセルは異なる構成情報に対応しうるため、基地局の異なるセルの管理を円滑にする目的で、異なるセルを識別するためにセル番号がオプションで使用され、セルのセル番号とセルのCSI-RS構成情報との間のマッピング関係を確立することが可能であり、したがって、上記の構成識別情報は被測定セルのセル番号であってもよく、これは本明細書で限定されるものではない。
【００２７】
実際の適用例では、異なる地理的位置内にある複数のAPのセルは、異なるアンテナポート情報で構成され、異なるCSI-RS構成に対応する点に留意されたい。同じ物理セル識別情報によって示された異なる被測定セルは異なるCSI-RS構成情報を有する。CSI-RS構成情報は、CSI-RS構成を定義するために使用され、CSI-RSのアンテナポート情報、リソース構成情報、サブフレーム構成情報などを主に含む。異なるCSI-RS構成情報は異なる構成インデックス番号に対応し、その結果、基地局は複数のAPのセルのCSI-RS構成情報を管理することができる。これらのCSI-RS構成は、タイムフィールド内、周波数フィールド内、コードフィールド内および/または空間内で区別可能であり、例えば、CSI-RSを送信するサブフレーム位置および/または送信期間は、異なるセルに対応するCSI-RS構成の間で(サブフレームオフセットにより)異なる。
【００２８】
1つのAPが複数のアンテナを含む場合、すなわち、1つのAPが複数のセルに対応する場合、このAPの異なるアンテナのセルは異なるCSI-RS構成に対応し、このAPの複数のアンテナは異なるアンテナポート情報に対応することが分かる。
【００２９】
APは、リソース管理モジュールと、ベースバンド処理モジュールと、無線周波数ユニットとを完全に含む基地局であってよく、または遠隔無線ヘッド(RRH、Remote Radio Head)、遠隔無線ユニット(RRU、Radio Remote Unit)、もしくはアンテナであってよく、リレーであってもよく、これは本明細書で限定されるものではない。
【００３０】
測定構成メッセージは、CSI-RSRP測定指示情報および/またはCSI-RSRQ測定指示情報などの被測定セルの測定指示情報をさらにオプションで含むことが可能である。測定構成は、被測定セルに関する測定報告を周期的にまたはイベントに基づいて実行するようにユーザ装置に命令するために使用される測定報告モード指示情報をさらにオプションで含むことが可能である。測定報告モード指示情報によって示された報告モードがイベントに基づいて報告することである場合、測定構成は、構成ヒステリシス値およびヒステリシス時間、報告される被測定セルの最大数および報告番号、ならびに/またはレイヤ3の平滑化パラメータおよびフィルタリングパラメータなど、その他の補助構成パラメータをさらに含むことが可能である。測定報告モード指示情報によって示される報告モードが周期的に報告することである場合、測定構成メッセージは、構成報告期間をさらに含むことが可能である。当然、上記のパラメータのそれぞれは、デフォルト設定によってUE内で事前設定可能であり、これは本明細書において限定されない。
【００３１】
測定構成メッセージは、無線リソース制御(RRC、Radio Resource Control)プロトコルに基づくシグナリング、すなわち、RRCシグナリングであってよく、またはRRC再構成メッセージの一部であってよく、あるいは1つもしくは複数の媒体アクセス制御(MAC、Medium/Media Access Control)プロトコルに基づくシグナリング、すなわち、MACシグナリングであってよく、これは本明細書で限定されるものではない。
【００３２】
ステップ102:被測定セルに対応するCSI-RSを測定するステップ、および測定結果を取得するステップ。
【００３３】
基地局によって送信された測定構成メッセージを受信した後で、UEは、測定構成メッセージ内で同じ物理セル識別情報によって示された被測定セルのCSI-RS構成情報および/または(アンテナポート情報もしくはCSI構成情報の構成インデックス番号など)構成識別情報の差に従って、同じ物理セル識別情報によって示された異なる被測定セルを区別することができる。オプションで、UEは、同じ物理セル識別情報によって示された異なる被測定セルのリソースに関して区別測定をさらに実行することができる。UEは、異なる被測定セルのCSI-RS構成情報を使用して、対応する被測定セルのCSI-RSを測定して、被測定セルのCSI-RSRPおよび/またはCSI-RSRQなどの測定結果を取得することができる。例えば、実際の適用例では、UEは、被測定セルのCSI-RSを測定することによって、被測定セルの受信信号の信号対干渉雑音比(SINR、Signal To Interference Plus Noise Ratio)を取得し、次いで、SINR計算によって、被測定セルのCSI-RSRPおよび/またはCSI-RSRQを取得することができる。オプションで、UEは、測定結果を測定構成メッセージ内の以下の情報、すなわち、CSI-RS構成情報、被測定セルの構成識別情報、および測定インデックス番号のうちの少なくとも1つと結合させることができる。実際の適用例では、UEは被測定セルの測定結果を周期的に測定および報告することができる。UEによって受信された測定構成メッセージがCSI-RSRP測定指示情報および/またはCSI-RSRQ測定指示情報などの測定指示情報を含む場合、UEは、測定指示情報に従って、基地局によって必要とされる測定値を取得して、その測定値を測定結果として基地局に報告することができる。例えば、測定要求メッセージがCSI-RSRP測定指示情報を含む場合、UEは被測定セルのCSI-RSRPを取得し、測定要求メッセージがCSI-RSRQ測定指示情報を含む場合、UEは被測定セルのCSI-RSRQを取得し、測定要求メッセージがCSI-RSRP測定指示情報とCSI-RSRQ測定指示情報とを含む場合、UEは被測定セルのCSI-RSRPとCSI-RSRQとを取得する。当然、UEは、測定構成メッセージを受信するとき、所定の設定に従ってデフォルト設定によって、被測定セルのCSI-RSRPおよび/またはCSI-RSRQを取得することも可能であり、これは本明細書で限定されるものではない。
【００３４】
ステップ103:被測定セルについて取得された測定結果と測定対象情報とを測定報告を介して基地局に送信するステップ。
【００３５】
UEは、被測定セルについて取得された測定結果と、被測定セルを示す測定対象情報とを測定報告を介して基地局に送信する。
【００３６】
実際の適用例では、UEが周期的に測定報告を基地局に報告するとき、測定結果はCSI-RSRPおよび/またはCSI-RSRQなどの測定結果を含むことが可能であり、UEがイベントに基づいて測定報告を基地局に報告するとき、測定結果は、CSI-RSRPおよび/もしくはCSI-RSRQ、ならびに/または測定イベント指示情報などの測定結果を含むことが可能であり、この場合、測定イベント指示情報はその被測定セルが、協調マルチポイント送受信(CoMP)測定セットに属する条件を満たすセルであること、またはCoMP測定セットに属さない条件を満たすセルであることを示すために使用される。上で説明された測定対象情報は、測定構成メッセージ内のCSI-RS構成情報、被測定セルが属するアクセスポイントのアンテナポート情報、および被測定セルのセル番号のうちの少なくとも1つを含むことが可能であるか、または測定インデックス番号を含むことも可能である。
【００３７】
基地局は、取得された測定報告内の測定対象情報に従って、異なる被測定セルに対応する測定結果を区別して、それぞれの被測定セルの測定結果に従って、UEのCoMP測定セットを更新することができる。さらに、基地局は、測定報告を使用することによって、他の動作を実行することができ、例えば、基地局は、測定報告に従って、UEに関するモビリティマネジメントを実行することができる。
【００３８】
UEは、イベントに基づいて測定および報告することによって、測定報告を局に送信することも可能である。実際の適用例では、UEは測定によって取得されたそれぞれの被測定セルのCSI-RSRPおよび/もしくはCSI-RSRQを使用することによって、UEのCoMP測定セットに属する条件、またはUEのCoMP測定セットに属さない条件を満たす被測定セルを算出することができる。UEは、CoMP測定セットに属する条件を満たす被測定セルのCSI-RSRPおよび/もしくはCSI-RSRQだけを基地局に送信することができるか、またはUEは、CoMP測定セットに属さない条件を満たす被測定セルのCSI-RSRPおよび/もしくはCSI-RSRQだけを基地局に送信することもできる。あるいは、CoMP測定セットに属する条件および/もしくはCoMP測定セットに属さない条件を満たす被測定セルを算出した後で、UEは、異なる測定イベント指示情報によって、UEのCoMP測定セットに属する条件を満たす被測定セルとUEのCoMP測定セットに属さない条件を満たす被測定セルとを区別して、測定イベント指示情報、UEのCoMP測定セットに属する条件を満たす被測定セルの信号の測定値(CSI-RSRPおよび/またはCSI-RSRQ)、ならびにUEのCoMP測定セットに属さない条件を満たす被測定セルの信号の測定値(CSI-RSRPおよび/またはCSI-RSRQ)のうちの少なくとも1つを測定結果として基地局に報告することができる。基地局は、測定イベント指示情報に従って、どの被測定セルがこのUEのCoMP測定セットに属する条件を満たし、どの被測定セルがこのUEのCoMP測定セットに属さない条件を満たすかを知ることができる。当然、UEは、測定することによって取得されたすべての被測定セルのCSI-RSRPおよび/またはCSI-RSRQを基地局に送信することも可能であり、基地局は、このUEのCoMP測定セットを更新するために、CoMP測定セットに属する条件またはCoMP測定セットに属さない条件を満たす被測定セルを算出し、これは本明細書で限定されるものではない。
【００３９】
分かるように、本発明の実施形態では、少なくとも1つの物理セル識別情報と、物理セル識別情報によって示された被測定セルのCSI-RS構成情報とを測定構成メッセージ内で搬送することによって、UEは、被測定セルのCSI-RSを測定して、測定結果を取得することができ、UEは、被測定セルの測定結果と、被測定セルを示すために使用される測定対象情報とを測定報告を介して基地局に送信することができる。一方で、UEは、測定構成メッセージ内で同じ物理セル識別情報によって示された被測定セルのCSI-RS構成情報および/または構成識別情報の差に従って、同じ物理セル識別情報によって示された異なる被測定セルのリソースを区別することができる。他方で、基地局は、UEのCoMP測定セットを効果的に更新するために、測定対象情報に従って、異なる被測定セルの測定結果を区別することができる。さらに、CoMPシステムでは、セルがCSI-RSリソース位置を送信しているとき、他のセルは、データを送信するために、CSI-RSリソース位置を送信するためにそのセルによって占有されている時間周波数領域リソースを使用しないことになり、その結果、データ同士の間の干渉を回避することができ、これにより、CSI-RSを測定することによって取得される測定結果はCRSを測定することによって取得される測定結果よりもより正確になる。
【００４０】
説明の主題としてUEを再度とりあげ、本発明のある実施形態によるセル測定方法がさらに説明される。図2を参照すると、本発明の別の実施形態によるセル測定方法は以下を含む。
【００４１】
ステップ201:基地局によって送信された測定構成メッセージを受信するステップ。
【００４２】
このステップに関する詳細は図1のステップ101と類似し、ステップ101の説明を参照することができ、本明細書で繰り返されない。
【００４３】
ステップ202:被測定セルのCSI-RSRPおよび/またはCSI-RSRQを取得するステップ。
【００４４】
基地局によって送信された測定構成メッセージを受信した後で、UEは、測定構成メッセージ内で同じ物理セル識別情報によって示された被測定セルのCSI-RS構成情報および/または(アンテナポート情報またはCSI構成情報の構成インデックス番号など)構成識別情報の差に従って、同じ物理セル識別情報によって示された異なる被測定セルのリソースを区別することができる。オプションで、UEは、同じ物理セル識別情報によって示された異なる被測定セルのリソースに関して区別測定をさらに実行することができる。UEは、異なる被測定セルのCSI-RS構成情報を使用して、対応する被測定セルのCSI-RSを測定して、被測定セルのCSI-RSRPおよび/またはCSI-RSRQを取得することができる。例えば、UEは、被測定セルのCSI-RSを測定することによって、被測定セルの受信信号のSINRを取得し、次いで、SINR計算によって、被測定セルのCSI-RSRPおよび/またはCSI-RSRQを取得することができる。オプションで、UEは、測定結果を測定構成メッセージ内の以下の情報、すなわち、CSI-RS構成情報、被測定セルの構成識別情報、および測定インデックス番号のうちの少なくとも1つと結合させることができる。
【００４５】
実際の適用例では、UEは、被測定セルについて取得されたCSI-RSRPおよび/またはCSI-RSRQを周期的に測定して、被測定セルの測定結果として基地局に報告することができる。UEによって受信された測定構成メッセージがCSI-RSRP測定指示情報および/またはCSI-RSRQ測定指示情報などの測定指示情報を含む場合、UEは、測定指示情報に従って、基地局によって必要とされる測定値を取得して、その測定値を測定結果として基地局に報告することができる。例えば、測定構成メッセージがCSI-RSRP測定指示情報を含む場合、UEは被測定セルのCSI-RSRPを取得し、測定要求メッセージがCSI-RSRQ測定指示情報を含む場合、UEは被測定セルのCSI-RSRQを取得し、測定要求メッセージがCSI-RSRP測定指示情報とCSI-RSRQ測定指示情報とを含む場合、UEは被測定セルのCSI-RSRPとCSI-RSRQとを取得する。当然、UEは、測定構成メッセージを受信するとき、所定の設定に従ってデフォルト設定によって、被測定セルのCSI-RSRPおよび/またはCSI-RSRQを取得することも可能であり、これは本明細書で限定されるものではない。
【００４６】
ステップ203:CoMP測定セットに属する条件またはCoMP測定セットに属さない条件を満たすセルを算出するステップ。
【００４７】
UEは、それぞれの被測定セルについて取得されたCSI-RSRPおよび/またはCSI-RSRQを使用して、UEのCoMP測定セットに属する条件またはUEのCoMP測定セットに属さない条件を満たすセルを算出することができる。
【００４８】
説明の便宜上、以下の記述では、UEによって取得されたそれぞれの被測定セルのCSI-RSRPおよび/またはCSI-RSRQは被測定セルの信号の測定値と呼ばれ、その信号がUEの現在のCoMP測定セット内で最良である被測定セルのCSI-RSRPおよび/またはCSI-RSRQは最良のセルの信号の測定値と呼ばれる。それによって、被測定セルがUEのCoMP測定セットに属する条件もしくはUEのCoMP測定セットに属さない条件を満たすかどうかを判定する特定条件は、被測定セルの信号の測定値にUEのCoMP測定セットに属する被測定セルの信号オフセットを加えた和(S1とする)と、UEの現在のCoMP測定セット内のすべてのセルの信号の測定値の加重平均にUEのCoMP測定セットに属する被測定セルの信号ヒステリシスを加えた和(S2とする)との間の比較を実行し、S1がS2以上である場合、この被測定セルはUEのCoMP測定セットに属する条件を満たすと判断し、S1がS2未満である場合、この被測定セルはUEのCoMP測定セットに属さない条件を満たすと判断することでありうる。または、この判定の特定条件は、被測定セルの信号の測定値にUEのCoMP測定セットに属する被測定セルの信号オフセットを加えた和(S1とする)と、UEの現在のCoMP測定セット内の最良のセル(もしくはUEのサービス提供セル)の信号の測定値に最良のセルの信号オフセットを加え、さらにUEのCoMP測定セットに属する被測定セルの信号ヒステリシスを加えた和(S2とする)との間の比較を実行し、S1がS2以上である場合、この被測定セルはUEのCoMP測定セットに属する条件を満たすと判断し、S1がS2未満である場合、この被測定セルはUEのCoMP測定セットに属さない条件を満たすと判断することでありうる。当然、UEのCoMP測定セットに属する条件またはUEのCoMP測定セットに属さない条件は、実際の状況に従って設定されてよく、これは本明細書で限定されるものではない。
【００４９】
ステップ204:UEのCoMP測定セットに属する条件もしくはCoMP測定セットに属さない条件を満たす被測定セルの信号の測定値、および/または測定イベント指示情報を基地局に報告するステップ。
【００５０】
ステップ203の後で、UEは、UEのCoMP測定セットに属する条件またはUEのCoMP測定セットに属さない条件を満たす被測定セルの信号の測定値(すなわち、CSI-RSRPおよび/もしくはCSI-RSRQ)を基地局に報告することができるか、あるいはUEは、異なる測定イベント指示情報を使用して、UEのCoMP測定セットに属する条件を満たす被測定セルと、UEのCoMP測定セットに属さない条件を満たす被測定セルとを区別し、次いで、測定イベント指示情報、UEのCoMP測定セットに属する条件を満たす被測定セルの信号の測定値(CSI-RSRPおよび/またはCSI-RSRQ)、ならびにUEのCoMP測定セットに属さない条件を満たす被測定セルの信号の測定値(CSI-RSRPおよび/またはCSI-RSRQ)のうちの少なくとも1つを測定結果として利用して、測定結果を対応する測定対象情報と結合させ、次いで、結合された測定結果と対応する測定対象情報とを基地局に報告することができる。
【００５１】
分かるように、本発明の実施形態では、少なくとも1つの物理セル識別情報と、物理セル識別情報によって示された被測定セルのCSI-RS構成情報とを測定構成メッセージ内で搬送することによって、UEは、被測定セルのCSI-RSを測定して、被測定セルの測定結果を取得することができ、UEは、被測定セルの測定結果と、被測定セルを示すために使用される測定対象情報とを測定報告を介して基地局に送信することができる。一方で、UEは、測定構成メッセージ内で同じ物理セル識別情報によって示された被測定セルのCSI-RS構成情報および/または構成識別情報の差に従って、同じ物理セル識別情報によって示された異なる被測定セルのリソースを区別することができる。他方で、基地局は、UEのCoMP測定セットを効果的に更新するために、測定対象情報に従って、異なる被測定セルの測定結果を区別することができる。さらに、CoMPシステムでは、セルがCSI-RSリソース位置を送信しているとき、他のセルは、データを送信するために、CSI-RSリソース位置を送信するためにそのセルによって占有されている時間周波数領域リソースを使用しないことになり、その結果、データ同士の間の干渉を回避することができ、これにより、CSI-RSを測定することによって取得される測定結果はCRSを測定することによって取得される測定結果よりもより正確になる。
【００５２】
説明の主題として基地局をとりあげ、以下の記述は、本発明のある実施形態による、あるセル測定方法を説明する。図3を参照すると、本発明の別の実施形態によるセル測定方法は以下を含む。
【００５３】
ステップ301:測定構成メッセージをユーザ装置(UE)に送信するステップ。
【００５４】
基地局は測定構成メッセージをUEに送信し、測定構成メッセージは、少なくとも1つの物理セル識別情報と、それぞれの物理セル識別情報によって示された、それぞれの被測定セルのCSI-RS構成情報とを含み、オプションで、測定構成メッセージは、被測定セルと一対一対応する構成識別情報をさらに含み、さらにオプションで、測定インデックス番号を含む。構成識別情報は、被測定セルが属するAPのアンテナポート情報AP、被測定セルのCSI-RS構成情報の構成インデックス番号、および被測定セルのセル番号のうちの少なくとも1つであってよい。アンテナポート情報はアンテナポート番号および/またはアンテナポートの量を含むが、これらに限定されない。当然、それぞれのセルは異なる構成情報に対応しうるため、基地局の異なるセルの管理を円滑にする目的で、異なるセルを識別するためにセル番号がオプションで使用され、セルのセル番号とセルのCSI-RS構成情報との間のマッピング関係を確立することが可能であり、したがって、上記の構成識別情報は被測定セルのセル番号であってもよく、これは本明細書で限定されるものではない。
【００５５】
実際の適用例では、異なる地理的位置内にある複数のAPのセルは、異なるアンテナポート情報で構成され、異なるCSI-RS構成に対応する点に留意されたい。同じ物理セル識別情報によって示された異なる被測定セルは異なるCSI-RS構成情報を有する。CSI-RS構成情報は、CSI-RS構成を定義するために使用され、CSI-RSのアンテナポート情報、リソース構成情報、サブフレーム構成情報などを主に含む。異なるCSI-RS構成情報は異なる構成インデックス番号に対応し、その結果、基地局は、複数のAPのセルのCSI-RS構成情報を管理することができる。これらのCSI-RS構成は、タイムフィールド内、周波数フィールド内、コードフィールド内および/または空間内で区別可能であり、例えば、CSI-RSを送信するサブフレーム位置および/または送信期間は、異なるセルに対応するCSI-RS構成の間で(サブフレームオフセットにより)異なる。
【００５６】
1つのAPが複数のアンテナを含む場合、すなわち、1つのAPが複数のセルに対応する場合、このAPの異なるアンテナのセルは異なるCSI-RS構成に対応し、このAPの複数のアンテナは異なるアンテナポート情報に対応することがわかる。
【００５７】
基地局は、CSI-RSRP測定指示情報および/またはCSI-RSRQ測定指示情報などの測定指示情報を測定構成メッセージ内で搬送して、被測定セルのCSI-RSRPおよび/またはCSI-RSRQを測定ならびに取得するようにUEに命令することができる。実際の適用例では、基地局は、インターフェースを経由して基地局に接続された他の基地局に測定構成要求メッセージを送信して、それぞれの他の基地局のカバレッジ内のセルのそれぞれの測定構成情報をフィードバックするように他の基地局に命令することも可能である。測定構成情報は、(特定のUEまたは特定のセルの専用のCSI-RS構成情報であってよい)CSI-RS構成情報、および論理アンテナポート情報のうちの少なくとも1つを含むが、これらに限定されない。上述のセルが属するAPに属するセルが1つだけ存在する場合、測定構成情報は、APのラベル番号などを含むことも可能である。例えば、基地局は、インターフェースX2またはインターフェースS1を介して、他の基地局に測定構成要求メッセージを送信することができ、基地局は、インターフェースX2またはインターフェースS1を介して、他の基地局から測定構成情報を受信することもでき、基地局は、ローカルカバレッジ内のセルの測定構成情報を他の基地局に送信し戻すこともでき、例えば、基地局は、基地局が他の基地局から測定構成要求メッセージを受信した後で、インターフェースX2またはインターフェースS1を介して、ローカルカバレッジ内のセルの測定構成情報を他の基地局に送信し戻すことができる。当然、基地局は、ローカルカバレッジ内のセルの測定構成情報他の基地局に自発的に(initiatively)送信し戻すことができ、例えば、インターフェースX2またはインターフェースS1を介して、ローカルカバレッジ内のセルのCSI-RS構成情報とセルの構成識別情報とを(1つまたは複数の)他の基地局に自発的に送信することができ、これは本明細書で限定されるものではない。
【００５８】
測定構成要求メッセージおよび/または測定構成メッセージは、新しい独立したメッセージであってよく、または、先行技術では、例えば、「リソース状態要求/応答(RESOURCE STATUS REQUEST/RESPONSE)」、「X2セットアップ要求/応答(X2 SETUP REQUEST/RESPONSE)」、「eNB構成更新/更新肯定応答(ENB CONFIGURATION UPDATE/UPDATE ACKNOWLEDGE)」、もしくは「ハンドオーバ要求/ハンドオーバ要求肯定応答(HANDOVER REQUEST/HANDOVER REQUEST ACKNOWLEDGE)」、または「負荷情報(Load information)」など、X2メッセージ内もしくはS1メッセージ内に組み込まれてもよく、これは本明細書で限定されるものではない。
【００５９】
APは、リソース管理モジュールと、ベースバンド処理モジュールと、無線周波数ユニットとを完全に含む基地局であってよく、またはRRH、RRU、もしくはアンテナであってもよく、APはリレーであってもよく、これは本明細書で限定されるものではない。
【００６０】
ステップ302:ユーザ装置によって送信された測定報告を受信するステップ。
【００６１】
測定報告は、測定結果と測定対象情報とを含む。測定対象情報は、測定構成メッセージ内の以下の情報、すなわち、CSI-RS構成情報、被測定セルが属するアクセスポイントのアンテナポート情報、被測定セルの構成識別情報、被測定セルのセル番号、および測定インデックス番号のうちの少なくとも1つを含むことが可能である。測定結果は、被測定セルのCSI-RSRP、被測定セルのCSI-RSRQ、および測定イベント指示情報のうちの少なくとも1つを含むことが可能である。
【００６２】
基地局は、UEによってフィードバックされた測定報告を受信する。基地局は、測定対象情報に従って、異なる被測定セルの測定結果を区別することができる。
【００６３】
ステップ303:受信された測定報告に従って、ユーザ装置のCoMP測定セットを更新するステップ。
【００６４】
UEによって送信された測定報告を受信した後で、基地局は、測定対象情報に従って、異なる被測定セルのCSI-RSRPおよび/またはCSI-RSRQを区別して、UEのCoMP測定セットを更新することができる。詳細には、基地局は、測定報告内の(被測定セルのCSI-RSRPおよび/もしくはCSI-RSRQなど)被測定セルの測定結果に従って、UEのCoMP測定セットに属する条件、またはUEのCoMP測定セットに属さない条件を満たす被測定セルを算出することができる。被測定セルがUEの現在のCoMP測定セット内のセルである場合、基地局が(被測定セルがUEのCoMP測定セットに属さない条件を満たすことを意味する)被測定セルがUEのCoMP測定セットに属する条件を現在満たさないと算出するとき、基地局は被測定セルをUEのCoMP測定セットから除去する。同様に、被測定セルがUEの現在のCoMP測定セット内にない場合、基地局が、被測定セルがUEのCoMP測定セットに属する条件を現在満たすと算出するとき、基地局は被測定セルをUEのCoMP測定セット内に移動させる。当然、UEは、UEのCoMP測定セットに属する条件および/またはCoMP測定セットに属さない条件を満たす被測定セルを算出し、次いで、(被測定セルのCSI-RSRPおよび/もしくは被測定セルのCSI-RSRQ、ならびに/または測定イベント指示情報など)CoMP測定セットに属する条件あるいはCoMP測定セットに属さない条件を満たす被測定セルの測定結果を基地局に送信することも可能であり、次いで、基地局は、UEによって報告された被測定セルがUEのCoMP測定セットに属する条件を満たすかどうかをさらに判定して、UEのCoMP測定セットを更新する。
【００６５】
当然、実際の適用例では、基地局は、測定報告を使用して、他の動作を実行することもでき、例えば、基地局は、測定報告に従って、UEに関するモビリティマネジメントを実行することができる。
【００６６】
ステップ304:更新されたCoMP測定セットを基地局によってユーザ装置に送信するステップ。
【００６７】
UEのCoMP測定セットの更新を完了した後で、基地局は、更新されたCoMP測定セットをUEに送信する。
【００６８】
分かるように、本発明の実施形態では、少なくとも1つの物理セル識別情報と、物理セル識別情報によって示された被測定セルのCSI-RS構成情報とを測定構成メッセージ内で搬送することによって、UEは、被測定セルのCSI-RSを測定して、測定結果を取得することができ、UEは、被測定セルの測定結果と、被測定セルを示すために使用される測定対象情報とを測定報告を介して基地局に送信することができる。一方で、UEは、測定構成メッセージ内で同じ物理セル識別情報によって示された被測定セルのCSI-RS構成情報および/または構成識別情報の差に従って、同じ物理セル識別情報によって示された異なる被測定セルのリソースを区別することができる。他方で、基地局は、UEのCoMP測定セットを効果的に更新するために、測定対象情報に従って、異なる被測定セルの測定結果を区別することができる。さらに、CoMPシステムでは、セルがCSI-RSリソース位置を送信しているとき、他のセルは、データを送信するために、CSI-RSリソース位置を送信するためにそのセルによって占有されている時間周波数領域リソースを使用しないことになり、その結果、データ同士の間の干渉を回避することができ、これにより、CSI-RSを測定することによって取得される測定結果はCRSを測定することによって取得される測定結果よりもより正確になる。
【００６９】
本発明の技術的解決法をより分かりやすくするために、以下の記述は、ある適用シナリオを例にあげて、本発明のある実施形態によるセル測定方法を説明する。本発明のある実施形態のネットワークアーキテクチャの概略図が図4-aに示される通りであると仮定すると、基地局40に属する、4つのアクセスポイントAP41、AP42、AP43、およびAP44が存在し、それぞれのAPはセルを含み、AP41、AP42、AP43、およびAP44は同じPCIを有し、ユーザ装置45の現在のCoMP測定セットは、AP41、AP42、およびAP43を含む。図4-bを参照すると、上記の適用シナリオで、基地局とUEとの間の対話プロセスは以下を含む。
【００７０】
ステップ401:基地局が測定構成メッセージをUEに送信するステップ。
【００７１】
基地局は、測定構成メッセージをUEに送信し、測定構成メッセージは、AP41、AP42、AP43、およびAP44のPCIと、それぞれのAPに属する被測定セルのCSI-RS構成情報と、それぞれの被測定セルと一対一対応する構成識別情報とを含む。
【００７２】
基地局は、CSI-RSRP測定指示情報および/またはCSI-RSRQ測定指示情報などの測定指示情報を測定構成メッセージ内で搬送して、被測定セルのCSI-RSRPおよび/またはCSI-RSRQを取得するようにUEに命令することも可能である。
【００７３】
構成識別情報は、4つのAPのアンテナポート情報、および/または4つのAPに属するセルのCSI-RS構成情報の構成インデックス番号であってよい。当然、構成識別情報は、4つのAPに属するセルのセル番号であってもよく、これは本明細書で限定されるものではない。
【００７４】
ステップ402:UEが被測定セルのCSI-RSRPおよび/またはCSI-RSRQを取得するステップ。
【００７５】
本発明の実施形態では、基地局によって送信された測定要求メッセージを受信した後で、UEは、測定要求メッセージ内のCSI-RS構成情報に従って、それぞれ4つのAPに属するセルに関するCSI-RS測定を実行して、デフォルト設定によって、または測定構成メッセージ内のCSI-RSRP測定指示情報および/もしくはCSI-RSRQ測定指示情報に従って、4つのAPに属するセルのCSI-RSRPおよび/またはCSI-RSRQを取得する。
【００７６】
ステップ403:UEが測定報告を基地局に送信するステップ。
【００７７】
UEは、被測定セルについて取得されたCSI-RSRPおよび/またはCSI-RSRQを測定結果として利用して、測定結果と測定対象情報とを測定報告を介して基地局に送信する。
【００７８】
測定対象情報は、測定構成メッセージ内の4つのAPのCSI-RS構成情報および/もしくはアンテナポート情報、ならびに/または対応する測定インデックス番号を含むことが可能である。
【００７９】
ステップ404:基地局がUEのCoMP測定セットを更新するステップ。
【００８０】
UEによって送信された被測定セルのCSI-RSRPおよび/またはCSI-RSRQを受信した後で、基地局は、取得された測定報告内の測定対象情報に従って、異なる被測定セルに対応するCSI-RSRPおよび/またはCSI-RSRQを区別して、それぞれの被測定セルのCSI-RSRPおよび/またはCSI-RSRQに従って、UEのCoMP測定セットを更新することができる。
【００８１】
ステップ405:基地局がUEの更新されたCoMP測定セットをUEに対して発行するステップ。
【００８２】
APは、リソース管理モジュールと、ベースバンド処理モジュールと、無線周波数ユニットとを完全に含む基地局であってよく、またはRRH、RRU、もしくはアンテナであってもよく、APはリレーであってもよく、これは本明細書で限定されるものではない。
【００８３】
分かるように、本発明の実施形態では、少なくとも1つの物理セル識別情報と、物理セル識別情報によって示された、少なくとも1つの被測定セルのCSI-RS構成情報とを測定構成メッセージ内で搬送することによって、UEは、被測定セルのCSI-RSを測定して、測定結果を取得することができ、UEは、被測定セルの測定結果と、被測定セルを示すために使用される測定対象情報とを測定報告を介して基地局に送信することができる。一方で、UEは、測定構成メッセージ内で同じ物理セル識別情報によって示された被測定セルのCSI-RS構成情報および/または構成識別情報の差に従って、同じ物理セル識別情報によって示された異なる被測定セルのリソースを区別することができる。他方で、基地局は、UEのCoMP測定セットを効果的に更新するために、測定対象情報に従って、異なる被測定セルの測定結果を区別することができる。さらに、CoMPシステムでは、セルがCSI-RSリソース位置を送信しているとき、他のセルは、データを送信するために、CSI-RSリソース位置を送信するためにそのセルによって占有されている時間周波数領域リソースを使用しないことになり、その結果、データ同士の間の干渉を回避することができ、これにより、CSI-RSを測定することによって取得される測定結果はCRSを測定することによって取得される測定結果よりもより正確になる。
【００８４】
以下の記述は、ある適用シナリオを例にあげて、本発明のある実施形態による、あるセル測定方法をさらに説明する。本発明の実施形態のネットワークアーキテクチャの概略図が同様に図4-aに示される通りであると仮定すると、基地局40に属する、4つのアクセスポイントAP41、AP42、AP43、およびAP44が存在し、それぞれのAPはセルを含み、AP41、AP42、AP43、およびAP44は同じPCIを有し、ユーザ装置45の現在のCoMP測定セットは、AP41、AP42、およびAP43を含む。図5を参照すると、特定の対話プロセスは以下を含む。
【００８５】
ステップ501:基地局が測定構成メッセージをUEに送信するステップ。
【００８６】
基地局は測定構成メッセージをUEに送信し、測定構成メッセージはAP41、AP42、AP43、およびAP44のPCIと、それぞれのAPに属する被測定セルのCSI-RS構成情報と、それぞれの被測定セルと一対一対応する構成識別情報とを含む。
【００８７】
基地局は、CSI-RSRP測定指示情報および/またはCSI-RSRQ測定指示情報などの測定指示情報を測定構成メッセージ内で搬送して、被測定セルのCSI-RSRPおよび/またはCSI-RSRQを取得するようにUEに命令することも可能である。
【００８８】
構成識別情報は、4つのAPのアンテナポート情報、および/または4つのAPに属するセルのCSI-RS構成情報の構成インデックス番号であってよい。当然、構成識別情報は、4つのAPに属するセルのセル番号であってもよく、これは本明細書で限定されるものではない。
【００８９】
ステップ502:UEが被測定セルのCSI-RSRPおよび/またはCSI-RSRQを取得するステップ。
【００９０】
本発明の実施形態では、基地局によって送信された測定要求メッセージを受信した後で、UEは、測定要求メッセージ内のCSI-RS構成情報に従って、それぞれ4つのAPに属するセルに関するCSI-RS測定を実行して、デフォルト設定によって、または測定構成メッセージ内のCSI-RSRP測定指示情報および/もしくはCSI-RSRQ測定指示情報に従って、4つのAPに属するセルのCSI-RSRPおよび/もしくはCSI-RSRQを取得する。
【００９１】
ステップ503:UEがCoMP測定セットに属する条件またはCoMP測定セットに属さない条件を満たす被測定セルを算出するステップ。
【００９２】
UEは、それぞれの被測定セルについて取得されたCSI-RSRPおよび/またはCSI-RSRQを使用して、UEのCoMP測定セットに属する条件またはUEのCoMP測定セットに属さない条件を満たすセルを算出することができる。
【００９３】
説明の便宜上、以下の記述では、UEによって取得されたそれぞれの被測定セルのCSI-RSRPおよび/またはCSI-RSRQは被測定セルの信号の測定値と呼ばれ、UEの現在のCoMP測定セット内の最適信号を有する被測定セルのCSI-RSRPおよび/またはCSI-RSRQは最良のセルの信号の測定値と呼ばれる。それによって、被測定セルがUEのCoMP測定セットに属する条件もしくはUEのCoMP測定セットに属さない条件を満たすかどうかを判定する特定条件は、被測定セルの信号の測定値にUEのCoMP測定セットに属する被測定セルの信号オフセットを加えた和(S1とする)と、UEの現在のCoMP測定セット内のすべてのセルの信号の測定値の加重平均にUEのCoMP測定セットに属する被測定セルの信号ヒステリシスを加えた和(S2とする)との間の比較を実行し、S1がS2以上である場合、この被測定セルはUEのCoMP測定セットに属する条件を満たすと判断し、S1がS2未満である場合、この被測定セルはUEのCoMP測定セットに属さない条件を満たすと判断することでありうる。または、この判定の特定条件は、被測定セルの信号の測定値にUEのCoMP測定セットに属する被測定セルの信号オフセットを加えた和(S1とする)と、UEの現在のCoMP測定セット内の最良のセル(もしくはUEのサービス提供セル)の信号の測定値に最良のセルの信号オフセットを加え、さらにUEのCoMP測定セットに属する被測定セルの信号ヒステリシスを加えた和(S2とする)との間の比較を実行し、S1がS2以上である場合、この被測定セルはUEのCoMP測定セットに属する条件を満たすと判断し、S1がS2未満である場合、この被測定セルはUEのCoMP測定セットに属さない条件を満たすと判断することでありうる。当然、UEのCoMP測定セットに属する条件またはUEのCoMP測定セットに属さない条件は、実際の状況に従って設定されてよく、これは本明細書で限定されるものではない。
【００９４】
ステップ504:UEが、UEのCoMP測定セットに属する条件もしくはCoMP測定セットに属さない条件を満たす被測定セルの信号の測定値、および/または測定イベント指示情報を基地局に報告するステップ。
【００９５】
ステップ503の後で、UEは、UEのCoMP測定セットに属する条件またはUEのCoMP測定セットに属さない条件を満たす被測定セルの信号の測定値(すなわち、CSI-RSRPおよび/もしくはCSI-RSRQ)を基地局に報告することができるか、あるいはUEは、測定イベント指示情報を使用して、UEのCoMP測定セットに属する条件を満たす被測定セルとUEのCoMP測定セットに属さない条件を満たす被測定セルとを区別し、次いで測定イベント指示情報、UEのCoMP測定セットに属する条件を満たす被測定セルの信号の測定値(CSI-RSRPおよび/もしくはCSI-RSRQ)、またはUEのCoMP測定セットに属さない条件を満たす被測定セルの信号の測定値(CSI-RSRPおよび/もしくはCSI-RSRQ)のうちの少なくとも1つを測定結果として利用して、測定結果を対応する測定対象情報と結合させ、次いで、結合された測定結果と対応する測定対象情報とを基地局に報告することができる。
【００９６】
ステップ503で、UEが、3つのアクセスポイントAP41、AP42、およびAP44に属する被測定セルがUEのCoMP測定セットに属する条件を満たし、AP43に属する被測定セルがUEのCoMP測定セットに属さない条件を満たすと判断すると仮定すると、UEは、それに応じて、UEのCoMP測定セットに属する条件を満たす、3つのアクセスポイントAP41、AP42ならびにAP44に属するセルの信号の測定値(CSI-RSRPおよび/もしくはCSI-RSRQ)を、それらの3つのアクセスポイントに属するセルの測定対象情報と結合させ、次いで、結合された結果と測定対象情報とを基地局に送信することができる。または、UEは、UEのCoMP測定セットに属さない条件を満たす、AP43に属するセルの信号の測定値(CSI-RSRPおよび/もしくはCSI-RSRQ)をAP43に属するセルの測定対象情報と結合させ、次いで、結合された結果と測定対象情報とを基地局に送信することができる。あるいは、UEは、異なる測定イベント指示情報を使用して、3つのアクセスポイントAP41、AP42、およびAP44に属するセルがUEのCoMP測定セットに属する条件を満たし、AP43のセルがUEのCoMP測定セットに属さない条件を満たすことを示して、測定イベント指示情報、ならびに/または3つのアクセスポイントAP41、AP42、およびAP44に属するセルの信号の測定値(CSI-RSRPおよび/もしくはCSI-RSRQ)、ならびに/またはAP43に属するセルの信号の測定値(CSI-RSRPおよび/もしくはCSI-RSRQ)を対応する測定対象情報と結合させ、次いで、それらを基地局に送信することができ、これは本明細書で限定されるものではない。
【００９７】
ステップ505:基地局がUEのCoMP測定セットを更新するステップ。
【００９８】
ステップ504で、UEによって送信された被測定セルの信号の測定値を受信した後で、基地局は、(UEはUEのCoMP測定セットに属する条件を満たすセルだけを報告する、もしくはUEはUEのCoMP測定セットに属さない条件を満たすセルだけを報告するという戦略など)所定の戦略に従って、または受信された測定イベント指示情報に従って、UEのCoMP測定セットに属する条件を満たすセルをさらに判断することができ、次いで、基地局はUEのCoMP測定セットを更新する。
【００９９】
基地局が、3つのアクセスポイントAP41、AP42、およびAP44に属するセルが、現在、UEのCoMP測定セットに属する条件を満たし、AP43に属するセルがUEのCoMP測定セットに属さない条件を満たすと判断した場合、基地局は、UEの現在のCoMP測定セット内に含まれたセルをAP41、AP42、およびAP44に属するセルに更新する。
【０１００】
ステップ506:基地局がUEの更新されたCoMP測定セットをUEに送信するステップ。
【０１０１】
APは、リソース管理モジュールと、ベースバンド処理モジュールと、無線周波数ユニットとを完全に含む基地局であってよく、またはRRH、RRU、もしくはアンテナであってよく、APはリレーであってもよく、これは本明細書で限定されるものではない。
【０１０２】
分かるように、本発明の実施形態では、少なくとも1つの物理セル識別情報と、物理セル識別情報によって示された被測定セルのCSI-RS構成情報とを測定構成メッセージ内で搬送することによって、UEは、被測定セルのCSI-RSを測定して、測定結果を取得することができ、UEは、被測定セルの測定結果と、被測定セルを示すために使用される測定対象情報とを測定報告を介して基地局に送信することができる。一方で、UEは、測定構成メッセージ内の同じ物理セル識別情報によって示された被測定セルのCSI-RS構成情報および/または構成識別情報の差に従って、同じ物理セル識別情報によって示された異なる被測定セルのリソースを区別することができる。他方で、基地局は、UEのCoMP測定セットを効果的に更新するために、測定対象情報に従って、異なる被測定セルの測定結果を区別することができる。さらに、CoMPシステムでは、セルがCSI-RSリソース位置を送信しているとき、他のセルは、データを送信するために、CSI-RSリソース位置を送信するためにそのセルによって占有されている時間周波数領域リソースを使用しないことになり、その結果、データ同士の間の干渉を回避することができ、これにより、CSI-RSを測定することによって取得される測定結果はCRSを測定することによって取得される測定結果よりもより正確になる。
【０１０３】
説明の主題としてUEを挙げると、以下の記述は、図6を参照して、本発明の別の実施形態による、あるセル測定方法を説明し、この方法は以下を含む。
【０１０４】
ステップ601:UEが基地局によって送信された測定構成メッセージを受信するステップ。
【０１０５】
本発明の実施形態では、測定構成メッセージは、少なくとも1つの物理セル識別情報と、それぞれの物理セル識別情報によって示された被測定セルの構成識別情報とを含む。構成識別情報はセルが属するAPのアンテナポート情報であってよく、アンテナポート情報はアンテナポート番号および/またはアンテナポートの量を含む。
【０１０６】
実際の適用例では、異なる地理的位置内にある複数のAPのセルは、同じ物理セル識別情報、ならびに、アンテナポート番号および/またはアンテナポートの量など、異なるアンテナポート情報で構成可能である点に留意されたい。
【０１０７】
1つのAPが複数のアンテナを含む場合、すなわち、1つのAPが複数のセルに対応する場合、このAPの異なるアンテナに属するセルは、アンテナポート番号および/またはアンテナポートの量など、異なるアンテナポート情報に対応することが理解できる。
【０１０８】
APは、リソース管理モジュールと、ベースバンド処理モジュールと、無線周波数ユニットとを完全に含む基地局であってよく、またはRRH、RRU、もしくはアンテナであってよく、APはリレーであってもよく、これは本明細書で限定されるものではない。
【０１０９】
測定構成メッセージは、RSRP測定指示情報および/もしくはRSRQ測定指示情報など、被測定セルの測定指示情報、ならびに/または被測定セルに関する測定報告を周期的にもしくはイベントに基づいて実行するようにユーザ装置に命令するために使用される測定報告モード指示情報をさらに含むことが可能である。測定報告モード指示情報によって示された報告モードがイベントに基づいて報告することである場合、測定構成は、構成ヒステリシス値およびヒステリシス時間、報告される被測定セルの最大数および報告番号、ならびに/またはレイヤ3の平滑化パラメータおよびフィルタリングパラメータなど、その他の補助構成パラメータをさらに含むことが可能である。測定報告モード指示情報によって示された報告モードが周期的に報告することである場合、測定構成メッセージは、構成報告期間をさらに含むことが可能である。当然、上記のパラメータのそれぞれは、デフォルト設定によってUE内で事前設定可能であり、これは本明細書において限定されない。
【０１１０】
測定構成メッセージは、RRCシグナリングであってよく、もしくはRRC再構成メッセージの一部であってよく、またはMACシグナリングであってもよく、これは本明細書で限定されるものではない。
【０１１１】
ステップ602:UEが、被測定セルに対応するCRSを測定するステップ、および被測定セルの測定結果を取得するステップ。
【０１１２】
基地局によって送信された測定要求メッセージを受信した後で、UEは、測定構成メッセージ内の、アンテナポート情報などの構成識別情報に従って、異なる被測定セルの異なるCRS構成情報を区別して、CRS構成情報を使用して、被測定セルのCRSを測定して、被測定セルのRSRPおよび/またはRSRQなど、被測定セルの測定結果を取得することができる。
【０１１３】
実際の適用例では、UEは、被測定セルのRSRPおよび/またはRSRQを周期的に測定ならびに取得することができる。UEによって受信された測定要求メッセージがRSRP測定指示情報および/またはRSRQ測定指示情報などの測定指示情報を含む場合、UEは、測定指示情報に従って、基地局によって必要とされる測定値を取得することができる。例えば、測定要求メッセージがRSRP測定指示情報を含む場合、UEは、被測定セルのRSRPを取得し、測定要求メッセージがRSRQ測定指示情報を含む場合、UEは被測定セルのRSRQを取得し、測定要求メッセージがRSRP測定指示情報とRSRQ測定指示情報とを含む場合、UEは被測定セルのRSRPとRSRQとを取得する。当然、UEは、測定構成メッセージを受信するとき、所定の設定に従ってデフォルト設定によって、被測定セルのRSRPおよび/またはRSRQを取得することも可能であり、これは本明細書で限定されるものではない。
【０１１４】
ステップ603:UEが、被測定セルについて取得された測定結果と被測定セルの構成識別情報とを測定報告を介して基地局に送信するステップ。
【０１１５】
測定することによって取得された被測定セルの(RSRPおよび/またはRSRQなどの)測定結果を被測定セルの構成識別情報と結合させた後で、UEは測定報告を介して測定結果を基地局に送信する。基地局は、構成識別情報に従って、異なる被測定セルに対応する測定結果を区別して、それぞれの被測定セルの測定結果に従って、UEのCoMP測定セットを更新することができる。
【０１１６】
例えば、基地局から測定構成メッセージを受信した後で、UEは、それぞれの被測定セルのRSRPおよび/もしくはRSRQを周期的に基地局に報告することができるか、または、UEは、それぞれの被測定セルのRSRPおよび/もしくはRSRQを取得した後で、それぞれの被測定セルのRSRPおよび/もしくはRSRQをイベントに基づいて基地局に報告することができる。例えば、実際の適用例では、UEは、それぞれの被測定セルについて取得されたRSRPおよび/またはRSRQを使用することによって、UEのCoMP測定セットに属する条件を満たすか、またはUEのCoMP測定セットに属さない条件を満たす被測定セルを算出することができ、UEは、CoMP測定セットに属する条件を満たす被測定セルのRSRPおよび/もしくはRSRQだけを基地局に送信することができるか、またはUEは、CoMP測定セットに属さない条件を満たす被測定セルのRSRPおよび/もしくはRSRQだけを基地局に送信することができる。あるいは、UEは、それぞれの被測定セルについて取得されたRSRPおよび/もしくはRSRQに従って、CoMP測定セットに属する条件および/またはCoMP測定セットに属さない条件を満たす被測定セルを算出して、異なる測定イベント指示情報を使用することによって、UEのCoMP測定セットに属する条件および/またはUEのCoMP測定セットに属さない条件を満たす被測定セルを区別して、測定イベント指示情報、ならびに/またはUEのCoMP測定セットに属する条件を満たす被測定セルの信号の測定値(RSRPおよび/もしくはRSRQ)、ならびに/あるいは、UEのCoMP測定セットに属さない条件を満たす被測定セルの信号の測定値(RSRPおよび/もしくはRSRQ)を基地局に送信することができる。基地局は、測定イベント指示情報に従って、どの被測定セルがUEのCoMP測定セットに属する条件を満たし、どの被測定セルがUEのCoMP測定セットに属さない条件を満たすかを知ることができる。当然、UEは、測定することによって取得されたすべての被測定セルのRSRPおよび/またはRSRQを基地局に送信することもでき、基地局は、CoMP測定セットに属する条件またはUEのCoMP測定セットに属さない条件を満たすセルを算出して、UEのCoMP測定セットを更新し、これは本明細書で限定されるものではない。
【０１１７】
さらに、基地局は、それぞれの被測定セルのRSRPおよび/またはRSRQに従って、UEに関する測定管理およびモビリティマネジメントを実行すること、例えば、異なる周波数測定を作動させること、もしくはセル間ハンドオーバを実行すること、またはセル間干渉協調(ICIC、Inter-Cell Interference Coordination)を実行することなどが可能である。
【０１１８】
分かるように、本発明の実施形態では、測定されたアクセスポイントに属する被測定セルの構成識別情報を測定構成メッセージ内で搬送することによって、UEは、測定構成メッセージ内の構成識別情報に従って、異なる被測定セルを区別して、被測定セルに関するCRS測定を実行することによって取得された測定結果を被測定セルの構成識別情報と結合させ、次いで、結合された測定結果と構成識別情報とを基地局に送信することができ、その結果、基地局は、構成識別情報に従って、異なる被測定セルの測定結果を区別することができ、これにより、UEのCoMP測定セットを効果的に更新することができる。
【０１１９】
説明の主題として基地局を挙げると、以下の記述は、図6を参照して、本発明のさらに別の実施形態による、あるセル測定方法を説明し、この方法は以下を含む。
【０１２０】
ステップ701:測定構成メッセージをユーザ装置(UE)に送信するステップ。
【０１２１】
基地局は、測定構成メッセージをUEに送信し、測定構成メッセージは、少なくとも1つの物理セル識別情報と、それぞれの物理セル識別情報によって示された被測定セルの構成識別情報とを含む。構成識別情報は、そのセルが属するAPのアンテナポート情報であってよく、アンテナポート情報はアンテナポート番号および/またはアンテナポートの量を含む。基地局は、RSRP測定指示情報および/またはRSRQ測定指示情報などの測定指示情報を測定構成メッセージ内で搬送して、被測定セルのRSRPおよび/またはRSRQを取得するようにUEに命令することができる。
【０１２２】
実際の適用例では、基地局は、インターフェースを経由してその基地局に接続された他の基地局に測定構成要求メッセージを送信して、それぞれの他の基地局のカバレッジ内のセルのCRS構成情報およびそのセルの構成識別情報など、それぞれの測定構成情報をフィードバックするように他の基地局に命令することも可能であり、例えば、基地局は、インターフェースX2またはインターフェースS1を介して、他の基地局に測定構成要求メッセージを送信することができ、基地局は、(1つもしくは複数の)他の基地局から測定構成要求メッセージを受信した後で、セルのCRS構成情報および構成識別情報など、ローカルカバレッジ内のセルの測定構成情報を他の基地局に送信し戻すことができる。当然、基地局は、測定構成要求メッセージを他の基地局に自発的に送信した後で、ローカルカバレッジ内のセルの測定構成情報を他の基地局に送信し戻すこともできる。実際の適用例では、基地局は、インターフェースX2またはインターフェースS1を介して、ローカルカバレッジ内の(1つもしくは複数の)セルの測定構成情報を他の基地局に送信することができる。
【０１２３】
実際の適用例では、異なる地理的位置内にある複数のAPセルは、同じ物理セル識別情報、ならびに、アンテナポート番号および/またはアンテナポートの量など、異なるアンテナポート情報で構成可能である点に留意されたい。
【０１２４】
1つのAPが複数のアンテナを含む場合、すなわち、1つのAPが複数のセルに対応する場合、APの異なるアンテナに属するセルは異なるアンテナポート情報に対応することが理解できる。
【０１２５】
APは、リソース管理モジュールと、ベースバンド処理モジュールと、無線周波数ユニットとを完全に含む基地局であってよく、またはRRH、RRU、もしくはアンテナであってよく、APはリレーであってもよく、これは本明細書で限定されるものではない。
【０１２６】
ステップ702:UEによって送信された測定報告を受信するステップ。
【０１２７】
測定報告は、(被測定セルのRSRPおよび/またはRSRQなど)被測定セルの測定結果と被測定セルの構成識別情報とを含み、基地局は、被測定セルの構成識別情報に従って、異なる被測定セルの測定結果を区別することができる。
【０１２８】
ステップ703:受信された測定報告に従って、UEのCoMP測定セットを更新するステップ。
【０１２９】
UEによって送信された測定報告を受信した後で、基地局は、測定報告内の構成識別情報に従って、異なる被測定セルの測定結果を区別して、UEのCoMP測定セットを更新することができる。例えば、基地局は、被測定セルのRSRPおよび/またはRSRQに従って、UEのCoMP測定セットに属する条件を満たす被測定セルを算出することができる。被測定セルがUEの現在のCoMP測定セット内のセルである場合、基地局が、(被測定セルがUEのCoMP測定セットに属さない条件を満たすことを意味する)UEのCoMP測定セットに属する条件を現在満たさないと算出するとき、基地局は被測定セルをUEのCoMP測定セットから除去する。同様に、被測定セルがUEの現在のCoMP測定セット内にない場合、基地局が、被測定セルが、UEのCoMP測定セットに属する条件を現在満たすと算出するとき、基地局は被測定セルをUEのCoMP測定セット内に移動させる。当然、UEは、UEのCoMP測定セットに属する条件および/またはUEのCoMP測定セットに属さない条件を満たす被測定セルを算出し、次いで(RSRPおよび/もしくはRSRQ、ならびに/または測定イベント指示情報など)CoMP測定セットに属する条件またはCoMP測定セットに属さない条件を満たす被測定セルの測定結果を基地局に送信することも可能であり、次いで、基地局は、UEによって報告された被測定セルがUEのCoMP測定セットに属する条件を満たすかどうかを判定して、UEのCoMP測定セットを更新する。
【０１３０】
さらに、基地局は、測定報告を使用して、他の動作を実行することができ、例えば、基地局は、測定報告に従って、UEに関するモビリティマネジメントを実行することができる。
【０１３１】
ステップ704:更新されたCoMP測定セットを基地局によってユーザ装置に送信するステップ。
【０１３２】
UEのCoMP測定セットの更新を完了した後で、基地局は更新されたCoMP測定セットをUEに送信する。
【０１３３】
分かるように、本発明の実施形態では、測定されたアクセスポイントに属する被測定セルの構成識別情報を測定構成メッセージ内で搬送することによって、UEは、測定構成メッセージ内の構成識別情報に従って、異なる被測定セルを区別して、被測定セルに関する測定を実行することによって取得された測定結果を被測定セルの構成識別情報と結合させ、次いで、結合された測定結果と構成識別情報とを基地局に送信することができ、その結果、基地局は、構成識別情報に従って、異なる被測定セルの測定結果を区別することができ、これにより、UEのCoMP測定セットを効果的に更新することができる。
【０１３４】
以下の記述は、特定の実施形態を例にあげて、本発明の実施形態によるセルリソース共有方法を説明する。ネットワーク内に基地局1および基地局2が存在すると仮定し、図8を参照すると、本発明のある実施形態によるセルリソース共有方法は以下を含む。
【０１３５】
ステップ801:基地局1が基地局2に測定構成要求メッセージを送信するステップ。
【０１３６】
実際の適用例では、基地局は、インターフェースを経由してその基地局に接続された他の基地局に測定構成要求メッセージを送信して、それぞれの他の基地局のカバレッジ内の(1つもしくは複数の)セルのそれぞれの測定構成情報をフィードバックするように他の基地局に命令することができ、測定構成情報は、例えば、CSI-RS構成情報、論理アンテナポート情報、セルの位置情報、およびそのセルが属するAPのラベル番号のうちの少なくとも1つを含むことが可能である。CSI-RS構成情報は、特定のUEの専用のCSI-RS構成情報であってよく、または特定のセルの専用のCSI-RS構成情報であってもよく、これは本明細書で限定されるものではない。
【０１３７】
この実施形態では、基地局1は基地局2に測定構成要求メッセージを送信し、実際の適用例では、基地局1は、インターフェースX2またはインターフェースS1を経由して、基地局2に測定構成要求メッセージを送信することができる。
【０１３８】
ステップ802:基地局2が測定構成情報を基地局1に送信し戻すステップ。
【０１３９】
基地局2が基地局1によって送信された測定構成要求メッセージを受信するとき、基地局2は、測定構成要求メッセージに応答して、ローカルカバレッジ内のセルの測定構成情報を他方の基地局1に送信する。
【０１４０】
実際の適用例では、基地局2は、インターフェースX2またはインターフェースS1を介して、ローカルカバレッジ内のセルの測定構成情報を他方の基地局1に送信することができる。
【０１４１】
上記の測定構成要求メッセージおよび/または測定構成メッセージは、新しい独立したメッセージであってよく、または先行技術では、例えば、「リソース状態要求/応答」、「X2セットアップ要求/応答」、「eNB構成更新/更新肯定応答」、もしくは「ハンドオーバ要求/ハンドオーバ要求肯定応答」または「負荷情報」など、X2メッセージ内もしくはS1メッセージ内に組み込まれてよく、これは本明細書で限定されるものではない。
【０１４２】
本発明のこの実施形態では、基地局が他の基地局によって送信された測定構成要求メッセージを受信した後で、基地局は、ローカルカバレッジ内のセルの測定構成情報を他の基地局に送信し戻すのに対して、実際の適用例では、基地局は、ローカルカバレッジ内のセルの測定構成情報を他の基地局に自発的に送信することも可能であり、これは本明細書で限定されるものではない点に留意されたい。
【０１４３】
ステップ803:基地局1が取得された測定構成情報をUEに対して発行するステップ。
【０１４４】
基地局2から測定構成情報を取得した後で、基地局1は、測定構成情報を基地局1のローカルカバレッジ内のUEに対して発行することができ、その結果、UEは、基地局2に属するセルに関する測定または他の動作を実行することができる。
【０１４５】
分かるように、本発明の実施形態では、基地局はローカルカバレッジ内の(1つもしくは複数の)セルの測定構成情報を、ネットワーク内でインターフェースを経由してその基地局に接続された他の基地局に対して発行し、その結果、ネットワーク内のすべての基地局は他の基地局のカバレッジ内のセルの測定構成情報を取得して、それを知ることができ、他の基地局のカバレッジ内のセルの測定構成情報をUEに対して発行することができ、その結果、UEは他の基地局に属するセルに関する測定またはその他の動作を実行することができる。
【０１４６】
以下の記述は、本発明の実施形態によって提供されるユーザ装置を説明し、図9を参照すると、本発明の実施形態によるユーザ装置900は以下を含む。
【０１４７】
基地局によって送信された測定構成メッセージを受信するステップを行うように構成された受信ユニット901。
【０１４８】
測定構成メッセージは、少なくとも1つの物理セル識別情報と、それぞれの物理セル識別情報によって示された、それぞれの被測定セルのCSI-RS構成情報とを含み、オプションで、測定構成メッセージは、被測定セルと一対一対応する構成識別情報をさらに含み、さらにオプションで、測定インデックス番号を含む。構成識別情報は、被測定セルが属するAPのアンテナポート情報、および/または被測定セルのCSI-RS構成情報の構成インデックス番号であってよい。アンテナポート情報はアンテナポート番号および/またはアンテナポートの量を含むが、これらに限定されない。当然、それぞれのセルは異なる構成情報に対応しうるため、基地局の異なるセルの管理を円滑にする目的で、異なるセルを識別するためにセル番号がオプションで使用され、セルのセル番号とセルのCSI-RS構成情報との間のマッピング関係を確立することが可能であり、したがって、上記の構成識別情報は被測定セルのセル番号であってもよく、これは本明細書で限定されるものではない。
【０１４９】
実際の適用例では、異なる地理的位置内にある複数のAPのセルは、異なるアンテナポート情報で構成され、異なるCSI-RS構成に対応する点に留意されたい。CSI-RS構成情報は、CSI-RS構成を定義するために使用され、CSI-RSのアンテナポート情報、リソース構成情報、サブフレーム構成情報などを主に含む。異なるCSI-RS構成情報は異なる構成インデックス番号に対応し、その結果、基地局は複数のAPのセルのCSI-RS構成情報を管理することができる。これらのCSI-RS構成は、タイムフィールド内、周波数フィールド内、コードフィールド内および/または空間内で区別可能であり、例えば、CSI-RSを送信するサブフレーム位置および/または送信期間は、異なるセルに対応するCSI-RS構成の間で(サブフレームオフセットによって)異なる。
【０１５０】
1つのAPが複数のアンテナを含む場合、すなわち、1つのAPが複数のセルに対応する場合、このAPの異なるアンテナのセルは異なるCSI-RS構成に対応し、このAPの複数のアンテナは異なるアンテナポート情報に対応することが理解できる。
【０１５１】
APは、リソース管理モジュールと、ベースバンド処理モジュールと、無線周波数ユニットとを完全に含む基地局であってよく、またはRRH、RRU、もしくはアンテナであってよく、リレーであってもよく、これは本明細書で限定されるものではない。
【０１５２】
測定構成メッセージは、RRCシグナリングであってよく、もしくはRRC再構成メッセージの一部であってもよく、またはMACシグナリングであってもよく、これは本明細書で限定されるものではない。
【０１５３】
受信ユニット901によって受信された測定構成メッセージ内のCSI-RS構成情報に従って、被測定セルに対応するCSI-RSを測定するステップと、その測定するステップの測定結果を取得するステップとを行うように構成された測定および取得ユニット902。測定および取得ユニット902は、測定構成メッセージ内で同じ物理セル識別情報によって示された被測定セルのCSI-RS構成情報および/または(アンテナポート情報もしくはCSI構成情報の構成インデックス番号など)構成識別情報の差に従って、同じ物理セル識別情報によって示された異なる被測定セルのリソースを区別することができ、異なる被測定セルのCSI-RS構成情報を使用して、対応する被測定セルのCSI-RSを測定して、被測定セルのCSI-RSRPおよび/またはCSI-RSRQなどの測定結果を取得することができる。例えば、実際の適用例では、測定および取得ユニット902は、被測定セルのCSI-RSを測定することによって、被測定セルの受信信号のSINRを取得し、次いで、SINR計算によって、被測定セルのCSI-RSRPおよび/またはCSI-RSRQを取得することができる。
【０１５４】
実際の適用例では、測定および取得ユニット902は、被測定セルの測定結果を周期的に測定および取得することができる。受信ユニット901によって受信された測定構成メッセージがCSI-RSRP測定指示情報および/またはCSI-RSRQ測定指示情報などの測定指示情報を含む場合、測定および取得ユニット902は、測定指示情報に従って基地局によって必要とされる測定値を取得することができる。例えば、測定要求メッセージがCSI-RSRP測定指示情報を含む場合、測定および取得ユニット902は被測定セルのCSI-RSRPを取得し、測定要求メッセージがCSI-RSRQ測定指示情報を含む場合、測定および取得ユニット902は被測定セルのCSI-RSRQを取得し、測定要求メッセージがCSI-RSRP測定指示情報とCSI-RSRQ測定指示情報とを含む場合、測定および取得ユニット902は被測定セルのCSI-RSRPとCSI-RSRQとを取得する。当然、測定および取得ユニット902は、受信ユニット901が測定構成メッセージを受信するとき、所定の設定に従ってデフォルト設定によって、被測定セルのCSI-RSRPおよび/またはCSI-RSRQを取得することも可能であり、これは本明細書で限定されるものではない。
【０１５５】
実際の適用例では、測定および取得ユニット902は、被測定セルの測定結果をイベントに基づいて測定および取得することも可能であり、測定および取得ユニット902は、測定によって取得されたそれぞれの被測定セルのCSI-RSRPおよび/またはCSI-RSRQを使用することによって、UEのCoMP測定セットに属する条件および/またはUEのCoMP測定セットに属さない条件を満たす被測定セルを算出することができる。
【０１５６】
測定および取得ユニット902によって取得された被測定セルの測定結果と、被測定セルを示す測定対象情報とを測定報告を介して基地局に送信するステップを行うように構成された送信ユニット903。
【０１５７】
実際の適用例では、送信ユニット903は、周期的に測定報告を基地局に報告することができ、対応して、測定結果は、CSI-RSRPおよび/またはCSI-RSRQなどの測定結果を含むことが可能であり、送信ユニット903は、イベントに基づいて測定報告を基地局に送信することもでき、対応して、測定結果は、CSI-RSRPおよび/もしくはCSI-RSRQ、ならびに/または測定イベント指示情報などの測定結果を含むことが可能であり、測定イベント指示情報は、被測定セルが、CoMP測定セットに属する条件を満たすセルであること、またはCoMP測定セットに属さない条件を満たすセルであることを示すために使用されうる。上で説明された測定対象情報は、測定構成メッセージ内のCSI-RS構成情報、被測定セルが属するアクセスポイントのアンテナポート情報、被測定セルのセル番号、および測定インデックス番号のうちの少なくとも1つを含むことが可能である。
【０１５８】
ある適用シナリオでは、ユーザ装置900はさらに以下を含むことが可能である。
【０１５９】
受信された測定構成メッセージ内に同じ物理セル識別情報が存在するとき、測定構成メッセージ内の被測定セルのCSI-RS構成情報および/または構成識別情報を使用することによって、同じ物理セル識別情報によって示された異なる被測定セルを区別するステップを行うように構成されたセル区別ユニット。
【０１６０】
本実施形態のユーザ装置900は、前述の方法実施形態のうちのいずれかのユーザ装置であってよく、本発明の前述の方法実施形態のすべての技術的解決策を実施するように構成可能であり、それぞれの機能モジュールの機能は、前述の方法実施形態の方法に従って特に実施可能であり、特定の実施プロセスは、前述の実施形態の関連説明を参照することができ、本明細書で繰り返されない点に留意されたい。
【０１６１】
分かるように、本発明の実施形態では、少なくとも1つの物理セル識別情報と、物理セル識別情報によって示された被測定セルのCSI-RS構成情報とを測定構成メッセージ内で搬送することによって、UEは、被測定セルのCSI-RSを測定して、測定結果を取得することができ、UEは、被測定セルの測定結果と、被測定セルを示すために使用される測定対象情報とを測定報告を介して基地局に送信することができる。一方で、ユーザ装置は、測定構成メッセージ内で同じ物理セル識別情報によって示された被測定セルのCSI-RS構成情報および/または構成識別情報の差に従って、同じ物理セル識別情報によって示された異なる被測定セルのリソースを区別することができる。他方で、基地局は、ユーザ装置のCoMP測定セットを効果的に更新するために、測定対象情報に従って、異なる被測定セルの測定結果を区別することができる。さらに、CoMPシステムでは、セルがCSI-RSリソース位置を送信しているとき、他のセルは、データを送信するために、CSI-RSリソース位置を送信するためにそのセルによって占有されている時間周波数領域リソースを使用しないことになり、その結果、データ同士の間の干渉を回避することができ、これにより、CSI-RSを測定することによって取得される測定結果はCRSを測定することによって取得される測定結果よりもより正確になる。
【０１６２】
以下の記述は、本発明の実施形態による基地局を説明し、図10を参照すると、本発明の実施形態による基地局1000は以下を含む。
【０１６３】
測定構成メッセージをユーザ装置に送信するステップと、ユーザ装置によって送信された測定報告を受信するステップとを行うように構成された送受信ユニット1001。
【０１６４】
測定構成メッセージは、少なくとも1つの物理セル識別情報と、それぞれの物理セル識別情報によって示された、それぞれの被測定セルのCSI-RS構成情報とを含み、オプションで、測定構成メッセージは、被測定セルと一対一対応する構成識別情報をさらに含み、さらにオプションで、測定インデックス番号を含む。構成識別情報は、被測定セルが属するAPのアンテナポート情報、被測定セルのCSI-RS構成情報の構成インデックス番号、および被測定セルのセル番号のうち少なくとも1つであってよい。アンテナポート情報はアンテナポート番号および/またはアンテナポートの量を含むが、これらに限定されない。当然、それぞれのセルは異なる構成情報に対応しうるため、基地局に関する異なるセルの管理を円滑にする目的で、異なるセルを識別するためにセル番号がオプションで使用され、セルのセル番号とCSI-RS構成情報との間のマッピング関係を確立することが可能であり、したがって、上記の構成識別情報は被測定セルのセル番号であってもよく、これは本明細書で限定されるものではない。
【０１６５】
実際の適用例では、異なる地理的位置内にある複数のAPのセルは、異なるアンテナポート情報で構成され、異なるCSI-RS構成に対応する点に留意されたい。CSI-RS構成情報は、CSI-RS構成を定義するために使用され、CSI-RSのアンテナポート情報、リソース構成情報、サブフレーム構成情報などを主に含む。異なるCSI-RS構成情報は異なる構成インデックス番号に対応し、その結果、基地局は複数のAPのセルのCSI-RS構成情報を管理することができる。これらのCSI-RS構成は、タイムフィールド内、周波数フィールド内、コードフィールド内、および/または空間内で区別可能であり、例えば、CSI-RSを送信するサブフレーム位置および/または送信期間は、異なるセルに対応するCSI-RS構成の間で(サブフレームオフセットにより)異なる。
【０１６６】
1つのAPが複数のアンテナを含む場合、すなわち、1つのAPが複数のセルに対応する場合、このAPの異なるアンテナのセルは異なるCSI-RS構成に対応し、このAPの複数のアンテナは異なるアンテナポート情報に対応することが理解できる
【０１６７】
基地局1000は、CSI-RSRP測定指示情報および/またはCSI-RSRQ測定指示情報などの測定指示情報を測定構成メッセージ内で搬送して、被測定セルのCSI-RSRPおよび/またはCSI-RSRQを測定ならびに取得するようにユーザ装置に命令することができる。
【０１６８】
実際の適用例では、送受信ユニット1001は、インターフェースを経由して基地局1000に接続された他の基地局に測定構成要求メッセージを送信して、それぞれの他の基地局のカバレッジ内のセルのそれぞれの測定構成情報をフィードバックするように(1つまたは複数の)他の基地局に命令することができる。測定構成情報は、(特定のUEもしくは特定のセルの専用のCSI-RS構成情報であってよい)CSI-RS構成情報、および/または論理アンテナポート情報を含むが、これらに限定されず、APのラベル番号などを含むことも可能である。例えば、送受信ユニット1001は、インターフェースX2またはインターフェースS1を介して、インターフェースを経由して基地局1000に接続された他の基地局に測定構成要求メッセージを送信することができ、送受信ユニット1001は、他の基地局から測定構成要求メッセージを受信した後で、ロールカバレッジ内のセルの測定構成情報を他の基地局に送信し戻すこともでき、例えば、送受信ユニット1001は、インターフェースX2またはインターフェースS1を介して、ローカルカバレッジ内のセルの測定構成情報を他の基地局に送信し戻すことができる。当然、基地局は、送受信ユニット1001を介して、ローカルカバレッジ内のセルの測定構成情報を他の基地局に自発的に送信し戻すことができ、例えば、インターフェースX2またはインターフェースS1を介して、ローカルカバレッジ内のセルのCSI-RS構成情報と、ローカルカバレッジ内のセルの構成識別情報とを他の基地局に送信し戻すことができ、これは本明細書で限定されるものではない。
【０１６９】
上記の測定構成要求メッセージおよび/または測定構成メッセージは、新しい独立したメッセージであってよく、あるいは、先行技術では、例えば、「リソース状態要求/応答」、「X2セットアップ要求/応答」、「eNB構成更新/更新確認応答」、「ハンドオーバ要求/ハンドオーバ要求確認応答」もしくは「負荷情報」など、X2メッセージ内またはS1メッセージ内に組み込まれてもよく、これは本明細書で限定されるものではない。
【０１７０】
APは、リソース管理モジュールと、ベースバンド処理モジュールと、無線周波数ユニットとを完全に含む基地局であってよく、またはRRH、RRU、もしくはアンテナであってよく、APはリレーであってもよく、これは本明細書で限定されるものではない。
【０１７１】
上記の測定報告は、測定結果と測定対象情報とを含む。上で説明された測定対象情報は、測定構成メッセージ内のCSI-RS構成情報、被測定セルが属するアクセスポイントのアンテナポート情報、被測定セルの構成識別情報、測定インデックス番号のうちの少なくとも1つを含むことが可能である。測定結果は、被測定セルのCSI-RSRPおよび/またはCSI-RSRQを含むことが可能であるか、あるいは測定イベント指示情報を含むことも可能である。
【０１７２】
ある適用シナリオでは、送受信ユニット1001は、ネットワーク内で他の基地局によって送信された測定構成要求メッセージおよび/または測定構成情報を受信するステップを行うように構成されることも可能である。
【０１７３】
送受信ユニット1001によって受信された測定報告に従って、UEのCoMP測定セットを更新するステップを行うように構成された更新ユニット1002。
【０１７４】
送受信ユニット1001は、更新ユニット1002によって更新されたCoMP測定セットをユーザ装置に送信するステップを行うようにさらに構成される。
【０１７５】
ある適用シナリオでは、基地局1000は管理ユニットをさらに含むことが可能であり、管理ユニットは、送受信ユニット1001によって受信された測定報告に従って、UEに関するモビリティマネジメントを実行するステップを行うように構成可能である。
【０１７６】
この実施形態の基地局1000は、前述の方法実施形態のうちのいずれかの基地局であってよく、本発明の前述の方法実施形態のすべての技術的解決策を実施するように構成可能であり、それぞれの機能モジュールの機能は、前述の方法実施形態の方法に従って特に実施可能であり、特定の実施プロセスは前述の実施形態の関連説明を参照することができ、本明細書で繰り返されない点に留意されたい。
【０１７７】
分かるように、本発明の実施形態では、少なくとも1つの物理セル識別情報と、物理セル識別情報によって示された被測定セルのCSI-RS構成情報とを測定構成メッセージ内で搬送することによって、UEは、被測定セルのCSI-RSを測定して、測定結果を取得することができ、UEは、被測定セルの測定結果と、被測定セルを示すために使用される測定対象情報とを測定報告を介して基地局に送信することができる。一方で、UEは、測定構成メッセージ内で同じ物理セル識別情報によって示された被測定セルのCSI-RS構成情報および/または構成識別情報の差に従って、同じ物理セル識別情報によって示された異なる被測定セルのリソースを区別することができる。他方で、基地局は、UEのCoMP測定セットを効果的に更新するために、測定対象情報に従って、異なる被測定セルの測定結果を区別することができる。さらに、CoMPシステムでは、セルがCSI-RSリソース位置を送信しているとき、他のセルは、データを送信するために、CSI-RSリソース位置を送信するためにそのセルによって占有されている時間周波数領域リソースを使用しないことになり、その結果、データ同士の間の干渉を回避することができ、これにより、CSI-RSを測定することによって取得される測定結果はCRSを測定することによって取得される測定結果よりもより正確になる。
【０１７８】
以下の記述は、本発明の実施形態による別のユーザ装置を説明する。本発明の実施形態による別のユーザ装置は以下を含む。
【０１７９】
基地局によって送信された測定構成メッセージを受信するステップを行うように構成された受信ユニット。
【０１８０】
測定構成メッセージは、少なくとも1つの物理セル識別情報と、それぞれの物理セル識別情報によって示された被測定セルの構成識別情報とを含む。構成識別情報は、セルが属するAPのアンテナポート情報であってよく、アンテナポート情報はアンテナポート番号および/またはアンテナポートの量を含む。
【０１８１】
実際の適用例では、異なる地理的位置内にある複数のAPのセルは、同じ物理セル識別情報、ならびに、アンテナポート番号および/またはアンテナポートの数量など、異なるアンテナポート情報で構成可能である点に留意されたい。
【０１８２】
1つのAPが複数のアンテナを含む場合、すなわち、1つのAPが複数のセルに対応する場合、このAPの異なるアンテナのセルは、アンテナポート番号および/またはアンテナポートの数量など、アンテナポート情報に対応することが分かる。
【０１８３】
APは、リソース管理モジュールと、ベースバンド処理モジュールと、無線周波数ユニットとを完全に含む基地局であってよく、またはRRH、RRU、もしくはアンテナであってよく、リレーであってもよく、これは本明細書で限定されるものではない。
【０１８４】
測定構成メッセージ内の、アンテナポート情報などの構成識別情報に従って、異なる被測定セルの異なるCRS構成情報を区別して、CRS構成情報を使用して、被測定セルのCRSを測定して、被測定セルのRSRPおよび/またはRSRQなど、被測定セルの測定結果を取得するステップを行うように構成された測定および取得ユニット。
【０１８５】
実際の適用例では、測定および取得ユニットは、被測定セルのRSRPおよび/またはRSRQを周期的に測定ならびに取得することができる。UEによって受信された測定要求メッセージが、RSRP測定指示情報および/またはRSRQ測定指示情報などの測定指示情報を含む場合、測定および取得ユニットは、測定指示情報に従って、基地局によって必要とされる測定値を取得することができる。例えば、測定要求メッセージがRSRP測定指示情報を含む場合、測定および取得ユニットは被測定セルのRSRPを取得し、測定要求メッセージがRSRQ測定指示情報を含む場合、測定および取得ユニットは被測定セルのRSRQを取得し、測定要求メッセージがRSRP測定指示情報とRSRQ測定指示情報とを含む場合、測定および取得ユニットは被測定セルのRSRPとRSRQとを取得する。当然、測定構成メッセージが受信ユニットによって受信されるとき、測定および取得ユニットは、所定の設定に従ってデフォルト設定によって、被測定セルのRSRPおよび/またはRSRQを取得することも可能であり、これは本明細書で限定されるものではない。
【０１８６】
実際の適用例では、測定および取得ユニットは、被測定セルの測定結果をイベントに基づいて測定および取得することもでき、測定および取得ユニットは、測定によって取得された、それぞれの被測定セルのRSRPおよび/もしくはRSRQを使用することによって、UEのCoMP測定セットに属する条件またはUEのCoMP測定セットに属さない条件を満たす被測定セルを算出することができる。
【０１８７】
測定および取得ユニットによって取得された被測定セルの測定結果と、被測定セルの構成識別情報とを測定報告を介して基地局に送信するステップを行うように構成された送信ユニット。
【０１８８】
本実施形態のユーザ装置は、前述の方法実施形態のうちのいずれかのユーザ装置であってよく、本発明の前述の方法実施形態のすべての技術的解決策を実施するように構成可能であり、それぞれの機能モジュールの機能は、前述の方法実施形態内の方法に従って特に実施可能であり、特定の実施プロセスは前述の実施形態の関連説明を参照することができ、本明細書で繰り返されない点に留意されたい。
【０１８９】
分かるように、本発明の実施形態では、測定されたアクセスポイントに属する被測定セルの構成識別情報を測定構成メッセージ内で搬送することによって、UEは、測定構成メッセージ内の構成識別情報に従って、異なる被測定セルを区別して、被測定セルに関するCRS測定を実行することによって取得された測定結果を被測定セルの構成識別情報と結合させ、次いで、結合された測定結果と構成識別情報とを基地局に送信することができ、その結果、基地局は、構成識別情報に従って、異なる被測定セルの測定結果を区別することができ、これにより、UEのCoMP測定セットを効果的に更新することができる。
【０１９０】
以下の記述は、本発明の実施形態による別の基地局を説明する。本発明の実施形態による別の基地局は以下を含む。
【０１９１】
測定構成メッセージをユーザ装置に送信するステップと、ユーザ装置によって送信された測定報告を受信するステップとを行うように構成された送受信ユニット。
【０１９２】
測定構成メッセージは、少なくとも1つの物理セル識別情報と、それぞれの物理セル識別情報によって示された被測定セルの構成識別情報とを含む。構成識別情報は、セルが属するAPのアンテナポート情報であってよく、アンテナポート情報はアンテナポート番号および/またはアンテナポートの量を含む。基地局は、RSRP測定指示情報および/またはRSRQ測定指示情報などの測定指示情報を測定構成メッセージ内で搬送して、被測定セルのRSRPおよび/またはRSRQを取得するようにUEに命令することもできる。
【０１９３】
実際の適用例では、送受信ユニットは、インターフェースを経由してその基地局に接続された他の基地局に測定構成要求メッセージを送信して、それぞれの他の基地局のカバレッジ内のセルのCRS構成情報、およびセルの構成識別情報など、それぞれの測定構成情報をフィードバックするように他の基地局に命令することもでき、例えば、送受信ユニットは、インターフェースX2またはインターフェースS1を介して、他の基地局に測定構成要求メッセージを送信することができ、基地局は、他の基地局から測定構成要求メッセージを受信した後で、送受信ユニットを介して、セルのCRS構成情報および構成識別情報など、ローカルカバレッジ内のセルの測定構成情報を他の基地局に送信し戻すこともできる。当然、基地局は、送受信ユニットを介して、他の基地局に測定構成要求メッセージを自発的に送信した後で、ローカルカバレッジ内の(1つまたは複数の)セルの測定構成情報を他の基地局に送信し戻すこともできる。実際の適用例では、送受信ユニットは、インターフェースX2またはインターフェースS1を介して、ローカルカバレッジ内のセルの測定構成情報を他の基地局に送信することができる。
【０１９４】
実際の適用例では、異なる地理的位置内にある複数のAPのセルは、同じ物理セル識別情報、ならびに、アンテナポート番号および/またはアンテナポートの量など、異なるアンテナポート情報で構成可能である点に留意されたい。
【０１９５】
1つのAPが複数のアンテナを含む場合、すなわち、1つのAPが複数のセルに対応する場合、APの異なるアンテナに属するセルは異なるアンテナポート情報に対応することが理解できる。
【０１９６】
測定報告は、(被測定セルのRSRPおよび/またはRSRQなど)被測定セルの測定結果と被測定セルの構成識別情報とを含み、基地局は、被測定セルの構成識別情報に従って、異なる被測定セルの測定結果を区別することができる。
【０１９７】
ある適用シナリオでは、送受信ユニットは、他の基地局によって送信された測定構成要求メッセージおよび/または測定構成情報を受信するステップを行うようにさらに構成可能である。
【０１９８】
送受信ユニットによって受信された測定報告に従って、ユーザ装置のCoMP測定セットを更新するステップを行うように構成された更新ユニット。
【０１９９】
上記の送受信ユニットは、更新ユニットによって更新されたCoMP測定セットをユーザ装置に送信するステップを行うようにさらに構成される。
【０２００】
ある適用シナリオでは、基地局は、管理ユニットをさらに含み、管理ユニットは、送受信ユニットによって受信された測定報告に従って、UEに関するモビリティマネジメントを実行するステップを行うように構成可能である。
【０２０１】
本実施形態の基地局は、前述の方法実施形態のうちのいずれかの基地局であってよく、本発明の前述の方法実施形態のすべての技術的解決策を実施するように構成可能であり、それぞれの機能モジュールの機能は、前述の方法実施形態の方法に従って特に実施可能であり、特定の実施プロセスは前述の実施形態の関連説明を参照することができ、本明細書で繰り返されない点に留意されたい。
【０２０２】
分かるように、本発明の実施形態では、測定されたアクセスポイントに属する被測定セルの構成識別情報を測定構成メッセージ内で搬送することによって、UEは、測定構成メッセージ内の構成識別情報に従って、異なる被測定セルを区別して、被測定セルに関する測定を実行することによって取得された測定結果を被測定セルの構成識別情報と結合させ、次いで、結合された測定結果と構成識別情報とを基地局に送信することができ、その結果、基地局は、構成識別情報に従って、異なる被測定セルの測定結果を区別することができ、これにより、UEのCoMP測定セットを効果的に更新することができる。
【０２０３】
以下の記述は、本発明の実施形態による基地局を説明する。本発明の実施形態による基地局は以下を含む。
【０２０４】
送受信ユニットおよび発行ユニット。
【０２０５】
この場合、送受信ユニットは、インターフェースを経由してその基地局に接続された他の基地局に測定構成要求メッセージを送信して、それぞれの他の基地局のカバレッジ内のセルのそれぞれの測定構成情報をフィードバックするように他の基地局に命令するステップと、他の基地局から上記の測定構成情報を受信するステップとを行うように構成される。
【０２０６】
上記の測定構成情報は、(特定のUEまたは特定のセルの専用のCSI-RS構成情報であってよい)CSI-RS構成情報、論理アンテナポート情報、セルの位置情報、およびセルが属するAPのラベル番号のうちの少なくとも1つを含む。
【０２０７】
ある適用シナリオでは、送受信ユニットは、ローカルカバレッジ内のセルの測定構成情報を他の基地局にさらに自発的に送信することができるか、または、基地局が他の基地局から上記の測定構成要求メッセージを受信した後で、送受信ユニットは、ローカルカバレッジ内のセルの測定構成情報を他の基地局に送信することができる。
【０２０８】
ある適用シナリオでは、送受信ユニットは、他の基地局から上記の測定構成要求メッセージを受信するステップを行うようにさらに構成可能である。
【０２０９】
発行ユニットは、他の基地局から送受信ユニットによって受信された測定構成情報をUEに対して発行するステップを行うように構成され、その結果、UEは、ネットワーク内の他の基地局に属するセルに関する測定またはその他の動作を実行することができる。
【０２１０】
分かるように、本発明の実施形態では、基地局はローカルカバレッジ内のAPのセルの測定構成情報をネットワーク内の他の基地局に対して発行し、その結果、ネットワーク内のすべての基地局は他の基地局のカバレッジ内のセルの測定構成情報を取得して、それを知ることができ、他の基地局のカバレッジ内のセルの測定構成情報をUEに対して発行することができ、その結果、UEは他の基地局に属するセルに関する測定またはその他の動作を実行することができる。
【０２１１】
説明の便宜上、かつ説明を簡潔にするために、上で説明されたシステム、装置、およびユニットの特定の実施プロセスは前述の方法実施形態の対応するプロセスを参照することができ、これは本明細書で繰り返されない点を当業者は明瞭に理解されよう。
【０２１２】
本発明のいくつかの実施形態で開示されたシステム、装置、および方法を他の様式で達成することが可能であることを理解されたい。例えば、前述の装置実施形態は単なる例示であり、例えば、ユニットの分割は、論理機能に基づくある種の分割であるのに対して、実際の適用例では、他の分割様式が適用可能であり、例えば、複数のユニットもしくは構成要素は組み合わされてよく、または統合されて別のシステムにされてもよく、あるいは特徴のうちのいくつかは無視されてよく、または実施されなくてもよい。加えて、示された、もしくは議論された相互結合または直接結合あるいは通信接続は、電気形態、機械形態、もしくはその他の形態であってよい、いくつかのインターフェース、デバイスまたはユニットの間で間接結合あるいは通信接続を介してもよい。
【０２１３】
別個の構成要素として説明されたユニットは、物理的に分離されてよく、または分離されなくてもよく、ユニットとして示された構成要素は、物理ユニットであってよく、または物理ユニットでなくてもよく、すなわち、1つの位置に配置されてよく、または複数のネットワークユニット上に分散されてもよい。ユニットのうちのいくつかまたはすべては、本発明の実施形態を解決する目的を達成するための実際の要件に従って選択可能である。
【０２１４】
加えて、本発明の実施形態の様々な機能ユニットは、1つの処理モジュール内に統合されてよく、もしくは物理的に独立してもよく、または2つ以上の機能ユニットは1つのモジュール内に統合されてもよい。前述の統合モジュールは、ハードウェアの形でだけでなく、ソフトウェア機能モジュールの形で実施されてもよい。
【０２１５】
統合されたモジュールがソフトウェア機能モジュールの形で実施され、販売または使用のために独立した製品として機能する場合、当該モジュールは、コンピュータ可読記憶媒体内に記憶されてもよい。この理解に基づいて、本質的にもしくは部分的に、技術的解決策の先行技術に寄与する本発明の技術的解決策のすべてまたは一部は、ソフトウェア製品の形で実施可能であり、(コンピュータ、サーバ、またはネットワーク装置であってよい)コンピュータデバイスに本発明の実施形態の方法内のステップのすべてまたは一部を実行させることができる、いくつかの命令を含めて、コンピュータのソフトウェア製品は記憶媒体内に記憶可能である。記憶媒体は、USBフラッシュディスク、モバイルハードディスク、読出し専用メモリ(ROM)もしくはランダムアクセスメモリ(RAM)、磁気ディスク、または光ディスクなどを含めて、プログラムコードを記憶するために使用されうる様々な媒体であってよい。
【０２１６】
本発明によって提供されるセル測定方法、セルリソース共有方法、および関連デバイスでは、前述の実施形態を参照して詳細に説明されたが、当業者は、本発明の実施形態の技術的解決策の趣旨および範囲から逸脱せずに、特定の実施方法および適用範囲に対して依然として修正を行うことができる点を当業者は理解されたい。したがって、この説明の内容は本発明を限定することが意図されるべきではない。
【符号の説明】
【０２１７】
1  基地局
2  基地局
40  基地局
41  アクセスポイント、AP
42  アクセスポイント、AP
43  アクセスポイント、AP
44  アクセスポイント、AP
45  ユーザ装置
900  ユーザ装置
901  受信ユニット
902  測定および取得ユニット
903  送信ユニット
1000  基地局
1001  送受信ユニット
1002  更新ユニット
【図１】
0005880990.tif 000002
【図２】
0005880990.tif 000003
【図３】
0005880990.tif 000004
【図４−ａ】
0005880990.tif 000005
【図４−ｂ】
0005880990.tif 000006
【図５】
0005880990.tif 000007
【図６】
0005880990.tif 000008
【図７】
0005880990.tif 000009
【図８】
0005880990.tif 000010
【図９】
0005880990.tif 000011
【図１０】
0005880990.tif 000012